(57)【要約】  本願は情報伝送方法、端末装置及びネットワーク装置を開示し、該方法は、端末装置はネットワーク装置が送信した、ブロードキャストチャネル又はマルチキャストチャネルを含むターゲットチャネルを受信するステップと、前記端末装置は前記ターゲットチャネルの受信結果が所定条件を満たす時、前記ネットワーク装置にターゲット情報を送信することを決定するステップと、前記端末装置は少なくとも１つの伝送リソースのうち前記ターゲット情報を送信するためのターゲット伝送リソースを決定するステップと、前記端末装置は前記ネットワーク装置に前記ターゲットチャネルの受信結果を指示するための前記ターゲット情報を前記ターゲット伝送リソースで前記ネットワーク装置に送信するステップと、を含む。ネットワーク装置はチャネルの受信状況をタイムリーに取得することができ、それにより現在のチャネル受信状況に応じて後続のチャネル伝送のプロセスを指導し、チャネルの復調特性及び伝送効率を大幅に向上させる。
2020516088.tif 000002
【特許請求の範囲】
【請求項１】
情報伝送方法であって、
端末装置はネットワーク装置が送信した、ブロードキャストチャネル又はマルチキャストチャネルを含むターゲットチャネルを受信するステップと、
前記端末装置は前記ターゲットチャネルの受信結果が所定条件を満たす時、前記ネットワーク装置にターゲット情報を送信することを決定するステップと、
前記端末装置は少なくとも１つの伝送リソースのうち前記ターゲット情報を送信するためのターゲット伝送リソースを決定するステップと、
前記端末装置は前記ネットワーク装置に前記ターゲットチャネルの受信結果を指示するための前記ターゲット情報を前記ターゲット伝送リソースで前記ネットワーク装置に送信するステップと、を含むことを特徴とする情報伝送方法。
【請求項２】
前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、
前記端末装置は前記ターゲットチャネルの受信結果が所定条件を満たす時、前記ネットワーク装置にターゲット情報を送信することを決定することは、
前記端末装置はＮが第１閾値以上である時、前記ネットワーク装置に前記ターゲット情報を送信することを決定することを含むことを特徴とする請求項１に記載の方法。
【請求項３】
前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、
前記端末装置は前記ターゲットチャネルの受信結果が所定条件を満たす時、前記ネットワーク装置にターゲット情報を送信することを決定することは、
前記端末装置はＰが第２閾値以上である時、前記ネットワーク装置に前記ターゲット情報を送信することを決定することを含むことを特徴とする請求項１に記載の方法。
【請求項４】
前記端末装置が前記ネットワーク装置にターゲット情報を送信することを決定する前、
前記端末装置は前記ネットワーク装置が送信した、Ｍを指示するための第１指示情報を受信するステップをさらに含むことを特徴とする請求項３に記載の方法。
【請求項５】
前記ターゲットチャネルの受信結果は前記ターゲットチャネルに対応する変調及び符号化方式ＭＣＳ調整量を含み、
前記端末装置は前記ターゲットチャネルの受信結果が所定条件を満たす時、前記ネットワーク装置にターゲット情報を送信することを決定することは、
前記端末装置は前記ターゲットチャネルに対してＭＣＳ測定を行うことと、
前記端末装置は測定したＭＣＳの等級、及び前記ターゲットチャネルに使用されるＭＣＳの等級に応じて、前記ＭＣＳ調整量を決定することと、
前記端末装置は前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たす時、前記ネットワーク装置に前記ターゲット情報を送信することを決定することと、を含むことを特徴とする請求項１に記載の方法。
【請求項６】
前記端末装置は前記ターゲットチャネルに対してＭＣＳ測定を行うことは、
前記端末装置は前記ターゲットチャネルに含まれる復調基準信号ＤＭＲＳに基づき前記ＭＣＳ測定を行うことを含むことを特徴とする請求項５に記載の方法。
【請求項７】
前記端末装置は少なくとも１つの伝送リソースのうち前記ターゲット情報を伝送するためのターゲット伝送リソースを決定することは、
前記端末装置は前記少なくとも１つの伝送リソースから１つの伝送リソースを前記ターゲット伝送リソースとしてランダムに選択すること、又は
前記端末装置は前記少なくとも１つの伝送リソースのうち前記端末装置の特定パラメータに対応する伝送リソースを前記ターゲット伝送リソースとして決定し、異なる端末装置の特定パラメータの値が異なること、又は
前記端末装置は前記ターゲットチャネルの受信結果、及びチャネル受信結果と伝送リソースとのマッピング関係に基づき、前記少なくとも１つの伝送リソースのうち前記ターゲットチャネルの受信結果に対応する伝送リソースを前記ターゲット伝送リソースとして決定すること、又は
前記端末装置は前記ターゲットチャネルの受信結果、及びチャネル受信結果と伝送リソースグループとのマッピング関係に基づき、前記ターゲットチャネルの受信結果に対応するターゲット伝送リソースグループを決定し、前記ターゲット伝送リソースグループから１つの伝送リソースを前記ターゲット伝送リソースとしてランダムに選択し、又は前記特定パラメータに基づき前記ターゲット伝送リソースグループから前記端末装置の特定パラメータに対応する伝送リソースを前記ターゲット伝送リソースとして決定することを含むことを特徴とする請求項１〜６のいずれか一項に記載の方法。
【請求項８】
前記端末装置がターゲット伝送リソースを決定する前、
前記端末装置は前記ネットワーク装置が送信した、前記少なくとも１つの伝送リソースの情報を含む第２指示情報を受信するステップをさらに含むことを特徴とする請求項１〜７のいずれか一項に記載の方法。
【請求項９】
前記少なくとも１つの伝送リソースに対応する時間領域リソース、周波数領域リソース及びコード領域リソースのうち少なくとも１種は異なる又はすべては異なることを特徴とする請求項１〜８のいずれか一項に記載の方法。
【請求項１０】
情報伝送方法であって、
ネットワーク装置はブロードキャストチャネル又はマルチキャストチャネルを含むターゲットチャネルを端末装置に送信するステップと、
前記ネットワーク装置が前記端末装置によって少なくとも１つの伝送リソースから決定されるターゲット伝送リソースで、前記端末装置が前記ターゲットチャネルの受信結果に基づき送信したターゲット情報を受信すると、前記ネットワーク装置は前記ターゲット時間周波数リソースで受信した前記ターゲット情報に基づき、前記ターゲットチャネルの受信結果を決定するステップと、を含むことを特徴とする情報伝送方法。
【請求項１１】
前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、
前記ネットワーク装置は前記ターゲット時間周波数リソースで受信した前記ターゲット情報に基づき、前記ターゲットチャネルの受信結果を決定することは、
前記ネットワーク装置が前記ターゲット情報を受信すると、前記ネットワーク装置はＮが第１閾値以上であると決定することを含むことを特徴とする請求項１０に記載の方法。
【請求項１２】
前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、
前記ネットワーク装置は前記ターゲット時間周波数リソースで受信した前記ターゲット情報に基づき、前記ターゲットチャネルの受信結果を決定することは、
前記ネットワーク装置が前記ターゲット情報を受信すると、前記ネットワーク装置はＰが第２閾値以上であると決定することを含むことを特徴とする請求項１０に記載の方法。
【請求項１３】
前記ネットワーク装置はＭを指示するための第１指示情報を前記端末装置に送信するステップをさらに含むことを特徴とする請求項１２に記載の方法。
【請求項１４】
前記ターゲットチャネルの受信結果は前記ターゲットチャネルに対応する変調及び符号化方式ＭＣＳ調整量を含み、
前記ネットワーク装置は前記ターゲット時間周波数リソースで受信した前記ターゲット情報に基づき、前記ターゲットチャネルの受信結果を決定することは、
前記ネットワーク装置が前記ターゲット情報を受信すると、前記ネットワーク装置は前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たすと決定することを含むことを特徴とする請求項１０に記載の方法。
【請求項１５】
前記ネットワーク装置は前記ターゲット時間周波数リソースで受信した前記ターゲット情報に基づき、前記ターゲットチャネルの受信結果を決定することは、
前記ネットワーク装置は前記ターゲット情報を受信するための前記ターゲット伝送リソース、及び伝送リソースとチャネル受信結果とのマッピング関係に基づき、前記ターゲット伝送リソースに対応するチャネル受信結果を前記ターゲットチャネルの受信結果として決定すること、又は
前記ネットワーク装置は、前記ターゲット情報を受信するための前記ターゲット伝送リソースの所属するターゲット伝送リソースグループ、及び伝送リソースグループとチャネル受信結果とのマッピング関係に基づき、前記ターゲット伝送リソースグループに対応するチャネル受信結果を前記ターゲットチャネルの受信結果として決定することを含むことを特徴とする請求項１０〜１４のいずれか一項に記載の方法。
【請求項１６】
前記ネットワーク装置は前記端末装置が前記ターゲットチャネルの受信結果に基づき送信したターゲット情報を受信する前、
前記ネットワーク装置は前記少なくとも１つの伝送リソースの情報を含む第２指示情報を前記端末装置に送信するステップをさらに含むことを特徴とする請求項１０〜１５のいずれか一項に記載の方法。
【請求項１７】
前記少なくとも１つの伝送リソースに対応する時間領域リソース、周波数領域リソース及びコード領域リソースのうち少なくとも１種は異なる又はすべては異なることを特徴とする請求項１０〜１６のいずれか一項に記載の方法。
【請求項１８】
端末装置であって、伝送ユニット、及び決定ユニットを備え、
伝送ユニットは、ネットワーク装置が送信した、ブロードキャストチャネル又はマルチキャストチャネルを含むターゲットチャネルを受信し、
決定ユニットは、前記伝送ユニットにより受信された前記ターゲットチャネルの受信結果が所定条件を満たす時、前記ネットワーク装置にターゲット情報を送信することを決定し、
前記決定ユニットはさらに、少なくとも１つの伝送リソースのうち前記ターゲット情報を送信するためのターゲット伝送リソースを決定し、
前記伝送ユニットはさらに、前記ネットワーク装置に前記ターゲットチャネルの受信結果を指示するための前記ターゲット情報を前記決定ユニットにより決定された前記ターゲット伝送リソースで前記ネットワーク装置に送信することを特徴とする端末装置。
【請求項１９】
前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、
前記決定ユニットは具体的には、Ｎが第１閾値以上である時、前記ネットワーク装置に前記ターゲット情報を送信することを決定することを特徴とする請求項１８に記載の端末装置。
【請求項２０】
前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、
前記決定ユニットは具体的には、Ｐが第２閾値以上である時、前記ネットワーク装置に前記ターゲット情報を送信することを決定することを特徴とする請求項１８に記載の端末装置。
【請求項２１】
前記伝送ユニットはさらに、前記決定ユニットが前記ネットワーク装置にターゲット情報を送信することを決定する前、前記ネットワーク装置が送信した、Ｍを指示するための第１指示情報を受信することを特徴とする請求項２０に記載の端末装置。
【請求項２２】
前記ターゲットチャネルの受信結果は前記ターゲットチャネルに対応する変調及び符号化方式ＭＣＳ調整量を含み、
前記決定ユニットは具体的には、
前記ターゲットチャネルに対してＭＣＳ測定を行い、
測定したＭＣＳの等級、及び前記ターゲットチャネルに使用されるＭＣＳの等級に応じて、前記ＭＣＳ調整量を決定し、
前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たす時、前記ネットワーク装置に前記ターゲット情報を送信することを決定することを特徴とする請求項１８に記載の端末装置。
【請求項２３】
前記決定ユニットは具体的には、前記ターゲットチャネルに含まれる復調基準信号ＤＭＲＳに基づき前記ＭＣＳ測定を行うことを特徴とする請求項２２に記載の端末装置。
【請求項２４】
前記決定ユニットは具体的には、
前記少なくとも１つの伝送リソースから１つの伝送リソースを前記ターゲット伝送リソースとしてランダムに選択し、又は
前記少なくとも１つの伝送リソースのうち前記端末装置の特定パラメータに対応する伝送リソースを前記ターゲット伝送リソースとして決定し、異なる端末装置の特定パラメータの値が異なり、又は
前記ターゲットチャネルの受信結果、及びチャネル受信結果と伝送リソースとのマッピング関係に基づき、前記少なくとも１つの伝送リソースのうち前記ターゲットチャネルの受信結果に対応する伝送リソースを前記ターゲット伝送リソースとして決定し、又は
前記ターゲットチャネルの受信結果、及びチャネル受信結果と伝送リソースグループとのマッピング関係に基づき、前記ターゲットチャネルの受信結果に対応するターゲット伝送リソースグループを決定し、前記ターゲット伝送リソースグループから１つの伝送リソースを前記ターゲット伝送リソースとしてランダムに選択し、又は前記特定パラメータに基づき前記ターゲット伝送リソースグループから前記端末装置の特定パラメータに対応する伝送リソースを前記ターゲット伝送リソースとして決定することを特徴とする請求項１８〜２３のいずれか一項に記載の端末装置。
【請求項２５】
前記伝送ユニットはさらに、前記決定ユニットがターゲット伝送リソースを決定する前、前記ネットワーク装置が送信した、前記少なくとも１つの伝送リソースの情報を含む第２指示情報を受信することを特徴とする請求項１８〜２４のいずれか一項に記載の端末装置。
【請求項２６】
前記少なくとも１つの伝送リソースに対応する時間領域リソース、周波数領域リソース及びコード領域リソースのうち少なくとも１種は異なる又はすべては異なることを特徴とする請求項１８〜２５のいずれか一項に記載の端末装置。
【請求項２７】
ネットワーク装置であって、
ブロードキャストチャネル又はマルチキャストチャネルを含むターゲットチャネルを端末装置に送信する伝送ユニットと、
前記ネットワーク装置が前記端末装置によって少なくとも１つの伝送リソースから決定されるターゲット伝送リソースで、前記端末装置が前記ターゲットチャネルの受信結果に基づき送信したターゲット情報を受信すると、前記ターゲット時間周波数リソースで受信した前記ターゲット情報に基づき、前記ターゲットチャネルの受信結果を決定する決定ユニットと、を備えることを特徴とするネットワーク装置。
【請求項２８】
前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、
前記決定ユニットは具体的には、前記伝送ユニットが前記ターゲット情報を受信すると、Ｎが第１閾値以上であると決定することを特徴とする請求項２７に記載のネットワーク装置。
【請求項２９】
前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、
前記決定ユニットは具体的には、前記伝送ユニットが前記ターゲット情報を受信すると、Ｐが第２閾値以上であると決定することを特徴とする請求項２７に記載のネットワーク装置。
【請求項３０】
前記伝送ユニットはさらに、Ｍを指示するための第１指示情報を前記端末装置に送信することを特徴とする請求項２９に記載のネットワーク装置。
【請求項３１】
前記ターゲットチャネルの受信結果は前記ターゲットチャネルに対応する変調及び符号化方式ＭＣＳ調整量を含み、
前記決定ユニットは具体的には、前記伝送ユニットが前記ターゲット情報を受信すると、前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たすと決定することを特徴とする請求項２７に記載のネットワーク装置。
【請求項３２】
前記決定ユニットは具体的には、前記ターゲット情報を受信するための前記ターゲット伝送リソース、及び伝送リソースとチャネル受信結果とのマッピング関係に基づき、前記ターゲット伝送リソースに対応するチャネル受信結果を前記ターゲットチャネルの受信結果として決定し、又は
前記ターゲット情報を受信するための前記ターゲット伝送リソースの所属するターゲット伝送リソースグループ、及び伝送リソースグループとチャネル受信結果とのマッピング関係に基づき、前記ターゲット伝送リソースグループに対応するチャネル受信結果を前記ターゲットチャネルの受信結果として決定することを特徴とする請求項２７〜３１のいずれか一項に記載のネットワーク装置。
【請求項３３】
前記伝送ユニットはさらに、
前記端末装置が前記ターゲットチャネルの受信結果に基づき送信したターゲット情報を受信する前、前記少なくとも１つの伝送リソースの情報を含む第２指示情報を前記端末装置に送信することを特徴とする請求項２７〜３２のいずれか一項に記載のネットワーク装置。
【請求項３４】
前記少なくとも１つの伝送リソースに対応する時間領域リソース、周波数領域リソース及びコード領域リソースのうち少なくとも１種は異なる又はすべては異なることを特徴とする請求項２７〜３３のいずれか一項に記載のネットワーク装置。
【発明の詳細な説明】
【技術分野】
【０００１】
本願の実施例は無線通信分野に関し、より具体的には、情報伝送方法、端末装置及びネットワーク装置に関する。
【背景技術】
【０００２】
ネットワーク装置は端末装置にブロードキャストチャネル又はマルチキャストチャネルを送信した後、通常、システム内の各端末装置の受信効果を把握できないため、スケジューリングする時、各端末装置に応じたスケジューリング情報、例えば変調及び符号化方式（Ｍｏｄｕｌａｔｉｏｎ  ａｎｄ  Ｃｏｄｉｎｇ  Ｓｃｈｅｍｅ、「ＭＣＳ」と略称する）等級、送信電力等を効果的に設定することができず、その結果、チャネルの復調特性が悪く、システムの伝送効率が低い等の問題を招いてしまう。
【発明の概要】
【発明が解決しようとする課題】
【０００３】
本願の実施例は、チャネルの復調特性及び伝送効率を向上させることができる情報伝送方法、端末装置及びネットワーク装置を提供する。
【課題を解決するための手段】
【０００４】
第１態様によれば、情報伝送方法を提供し、端末装置は、ネットワーク装置が送信した、ブロードキャストチャネル又はマルチキャストチャネルを含むターゲットチャネルを受信するステップと、前記端末装置は、前記ターゲットチャネルの受信結果が所定条件を満たす時、前記ネットワーク装置にターゲット情報を送信することを決定するステップと、前記端末装置は、少なくとも１つの伝送リソースのうち前記ターゲット情報を送信するためのターゲット伝送リソースを決定するステップと、前記端末装置は、前記ネットワーク装置に前記ターゲットチャネルの受信結果を指示するための前記ターゲット情報を前記ターゲット伝送リソースで前記ネットワーク装置に送信するステップと、を含むことを特徴とする。
【０００５】
従って、端末装置はネットワーク装置にターゲット情報を送信して、ネットワーク装置にブロードキャストチャネル又はマルチキャストチャネルに対するチャネル受信状況をフィードバックすることを実現することで、ネットワーク装置はチャネルの受信状況をタイムリーに取得することができ、それにより現在のチャネル受信状況に応じて後続のチャネル伝送のプロセスを指導し、チャネルの復調特性及び伝送効率を大幅に向上させる。
【０００６】
選択肢として、第１態様の一実施形態では、前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、前記端末装置は前記ターゲットチャネルの受信結果が所定条件を満たす時、前記ネットワーク装置にターゲット情報を送信することを決定することは、前記端末装置はＮが第１閾値以上である時、前記ネットワーク装置に前記ターゲット情報を送信することを決定することを含む。
【０００７】
端末装置は、連続的に復号に失敗する復号ユニットの数があるプリセット閾値以上である時、ネットワーク装置にターゲット情報を送信することを決定するようにしてもよいことを理解すべきである。
【０００８】
選択肢として、第１態様の一実施形態では、前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、前記端末装置は前記ターゲットチャネルの受信結果が所定条件を満たす時、前記ネットワーク装置にターゲット情報を送信することを決定することは、前記端末装置はＰが第２閾値以上である時、前記ネットワーク装置に前記ターゲット情報を送信することを決定することを含む。
【０００９】
選択肢として、第１態様の一実施形態では、前記端末装置が前記ネットワーク装置にターゲット情報を送信することを決定する前、前記方法は、前記端末装置は、前記ネットワーク装置が送信した、Ｍを指示するための第１指示情報を受信するステップをさらに含む。
【００１０】
ここで、Ｍの値はネットワーク装置により決定されて端末装置に指示されてもよく、例えばプロトコルに規定されるように事前に約束されてもよい。
【００１１】
選択肢として、第１態様の一実施形態では、前記ターゲットチャネルの受信結果は前記ターゲットチャネルに対応する変調及び符号化方式ＭＣＳ調整量を含み、前記端末装置は前記ターゲットチャネルの受信結果が所定条件を満たす時、前記ネットワーク装置にターゲット情報を送信することを決定することは、前記端末装置は前記ターゲットチャネルに対してＭＣＳ測定を行うことと、前記端末装置は測定したＭＣＳの等級、及び前記ターゲットチャネルに使用されるＭＣＳの等級に応じて、前記ＭＣＳ調整量を決定することと、前記端末装置は前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たす時、前記ネットワーク装置に前記ターゲット情報を送信することを決定することと、を含む。
【００１２】
選択肢として、第１態様の一実施形態では、前記端末装置は前記ターゲットチャネルに対してＭＣＳ測定を行うことは、前記端末装置は前記ターゲットチャネルに含まれる復調基準信号ＤＭＲＳに基づき前記ＭＣＳ測定を行うことを含む。
【００１３】
選択肢として、第１態様の一実施形態では、前記端末装置は少なくとも１つの伝送リソースのうち前記ターゲット情報を伝送するためのターゲット伝送リソースを決定することは、前記端末装置は前記少なくとも１つの伝送リソースから１つの伝送リソースを前記ターゲット伝送リソースとしてランダムに選択すること、又は
前記端末装置は前記少なくとも１つの伝送リソースのうち前記端末装置の特定パラメータに対応する伝送リソースを前記ターゲット伝送リソースとして決定し、異なる端末装置の特定パラメータの値が異なること、又は
前記端末装置は前記ターゲットチャネルの受信結果、及びチャネル受信結果と伝送リソースグループとのマッピング関係に基づき、前記少なくとも１つの伝送リソースのうち前記ターゲットチャネルの受信結果に対応する伝送リソースを前記ターゲット伝送リソースとして決定すること、又は
前記端末装置は、前記ターゲットチャネルの受信結果、及びチャネル受信結果と伝送リソースグループとのマッピング関係に基づき、前記ターゲットチャネルの受信結果に対応するターゲット伝送リソースグループを決定し、前記ターゲット伝送リソースグループから１つの伝送リソースを前記ターゲット伝送リソースとしてランダムに選択し、又は前記特定パラメータに基づき前記ターゲット伝送リソースグループから前記端末装置の特定パラメータに対応する伝送リソースを前記ターゲット伝送リソースとして決定することを含む。
【００１４】
該特定パラメータは端末装置の固有の伝送パラメータ、リソースパラメータ、装置パラメータ等であり、異なる端末装置の特定パラメータの値が異なる。例えば、端末装置の特定伝送パラメータは、端末装置の識別子（Ｉｄｅｎｔｉｔｙ、「ＩＤ」と略称する）、又は端末装置がその制御チャネルを伝送するためのリソースの番号、又は端末装置が通信中に占有するある物理リソースブロックの番号、又は端末装置が伝送中に使用するほかのパラメータの値等である。
【００１５】
端末装置は、自体の特定パラメータ、及び予め設定したパラメータ値と伝送リソースとの対応関係に基づき、前記端末装置の特定パラメータに対応する伝送リソースを該ターゲット伝送リソースとして決定し、該ターゲット伝送リソースでネットワーク装置に該ターゲット情報を送信する。
【００１６】
選択肢として、第１態様の一実施形態では、前記端末装置がターゲット伝送リソースを決定する前、前記方法は、前記端末装置は前記ネットワーク装置が送信した、前記少なくとも１つの伝送リソースの情報を含む第２指示情報を受信するステップをさらに含む。
【００１７】
ここで、少なくとも１つの伝送リソースの情報はネットワーク装置により決定されて端末装置に指示されてもよく、例えばプロトコルに規定されるように事前に約束されてもよい。
【００１８】
選択肢として、第１態様の一実施形態では、前記少なくとも１つの伝送リソースに対応する時間領域リソース、周波数領域リソース及びコード領域リソースのうち少なくとも１種は異なる又はすべては異なる。
【００１９】
第２態様によれば、情報伝送方法を提供し、ネットワーク装置はブロードキャストチャネル又はマルチキャストチャネルを含むターゲットチャネルを端末装置に送信するステップと、前記ネットワーク装置が前記端末装置によって少なくとも１つの伝送リソースから決定されるターゲット伝送リソースで、前記端末装置が前記ターゲットチャネルの受信結果に基づき送信したターゲット情報を受信すると、前記ネットワーク装置は前記ターゲット時間周波数リソースで受信した前記ターゲット情報に基づき、前記ターゲットチャネルの受信結果を決定するステップと、を含むことを特徴とする。
【００２０】
選択肢として、第２態様の一実施形態では、前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、前記ネットワーク装置は前記ターゲット時間周波数リソースで受信した前記ターゲット情報に基づき、前記ターゲットチャネルの受信結果を決定することは、前記ネットワーク装置が前記ターゲット情報を受信すると、前記ネットワーク装置はＮが第１閾値以上であると決定することを含む。
【００２１】
選択肢として、第２態様の一実施形態では、前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、前記ネットワーク装置は前記ターゲット時間周波数リソースで受信した前記ターゲット情報に基づき、前記ターゲットチャネルの受信結果を決定することは、前記ネットワーク装置が前記ターゲット情報を受信すると、前記ネットワーク装置はＰが第２閾値以上であると決定することを含む。
【００２２】
選択肢として、第２態様の一実施形態では、前記方法は、前記ネットワーク装置はＭを指示するための第１指示情報を前記端末装置に送信するステップをさらに含む。
【００２３】
選択肢として、第２態様の一実施形態では、前記ターゲットチャネルの受信結果は前記ターゲットチャネルに対応する変調及び符号化方式ＭＣＳ調整量を含み、前記ネットワーク装置は前記ターゲット時間周波数リソースで受信した前記ターゲット情報に基づき、前記ターゲットチャネルの受信結果を決定することは、前記ネットワーク装置が前記ターゲット情報を受信すると、前記ネットワーク装置は前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たすと決定することを含む。
【００２４】
選択肢として、第２態様の一実施形態では、前記ネットワーク装置は前記ターゲット時間周波数リソースで受信した前記ターゲット情報に基づき、前記ターゲットチャネルの受信結果を決定することは、
前記ネットワーク装置は前記ターゲット情報を受信するための前記ターゲット伝送リソース、及び伝送リソースとチャネル受信結果とのマッピング関係に基づき、前記ターゲット伝送リソースに対応するチャネル受信結果を前記ターゲットチャネルの受信結果として決定すること、又は
前記ネットワーク装置は前記ターゲット情報を受信するための前記ターゲット伝送リソースの所属するターゲット伝送リソースグループ、及び伝送リソースグループとチャネル受信結果とのマッピング関係に基づき、前記ターゲット伝送リソースグループに対応するチャネル受信結果を前記ターゲットチャネルの受信結果として決定することを含む。
【００２５】
選択肢として、第２態様の一実施形態では、前記ネットワーク装置は前記端末装置が前記ターゲットチャネルの受信結果に基づき送信したターゲット情報を受信する前、前記方法は、前記ネットワーク装置は前記少なくとも１つの伝送リソースの情報を含む第２指示情報を前記端末装置に送信するステップをさらに含む。
【００２６】
選択肢として、第２態様の一実施形態では、前記少なくとも１つの伝送リソースに対応する時間領域リソース、周波数領域リソース及びコード領域リソースのうち少なくとも１種は異なる又はすべては異なる。
【００２７】
第３態様によれば、端末装置を提供し、上記第１態様又は第１態様のいずれかの可能な実施形態に記載の端末装置の操作を実行できる。具体的には、該端末装置は上記第１態様又は第１態様のいずれかの可能な実施形態に記載の端末装置の操作を実行するモジュールユニットを備えてもよい。
【００２８】
第４態様によれば、ネットワーク装置を提供し、上記第２態様又は第２態様のいずれかの可能な実施形態に記載のネットワーク装置の操作を実行できる。具体的には、該ネットワーク装置は上記第２態様又は第２態様のいずれかの可能な実施形態に記載のネットワーク装置の操作を実行するモジュールユニットを備えてもよい。
【００２９】
第５態様によれば、端末装置を提供し、プロセッサ、送受信機及びメモリを備える。該プロセッサ、送受信機及びメモリは内部接続通路によって相互通信する。該メモリは命令を記憶し、該プロセッサは該メモリに記憶される命令を実行する。該プロセッサは該メモリに記憶される命令を実行する時、該端末装置に第１態様又は第１態様のいずれかの可能な実施形態に記載の方法を実行させ、又は該端末装置に第３態様に係る端末を実現させる。
【００３０】
第６態様によれば、ネットワーク装置を提供し、プロセッサ、送受信機及びメモリを備える。該プロセッサ、送受信機及びメモリは内部接続通路によって相互通信する。該メモリは命令を記憶し、該プロセッサは該メモリに記憶される命令を実行する。該プロセッサは該メモリに記憶される命令を実行する時、該ネットワーク装置に第２態様又は第２態様のいずれかの可能な実施形態に記載の方法を実行させ、又は該ネットワーク装置に第４態様に係るネットワーク装置を実現させる。
【００３１】
第７態様によれば、コンピュータ可読記憶媒体を提供し、前記コンピュータ可読記憶媒体に、ネットワーク装置に上記第１態様、及びその実施形態のいずれかに記載の認可フリー伝送の方法を実行させるプログラムが記憶される。
【００３２】
第８態様によれば、コンピュータ可読記憶媒体を提供し、前記コンピュータ可読記憶媒体に、ネットワーク装置に上記第２態様、及びその実施形態のいずれかに記載の認可フリー伝送の方法を実行させるプログラムが記憶される。
【００３３】
第９態様によれば、システムチップを提供し、該システムチップは入力インタフェース、出力インタフェース、プロセッサ及びメモリを備え、該プロセッサは該メモリに記憶される命令を実行し、該命令が実行される時、該プロセッサは上記第１態様及びその実施形態のいずれかに記載の方法を実現できる。
【００３４】
第１０態様によれば、システムチップを提供し、該システムチップは入力インタフェース、出力インタフェース、プロセッサ及びメモリを備え、該プロセッサは該メモリに記憶される命令を実行し、該命令が実行される時、該プロセッサは上記第２態様及びその実施形態のいずれかに記載の方法を実現できる。
【発明の効果】
【００３５】
本願の実施例の技術案に基づき、端末装置はネットワーク装置にターゲット情報を送信して、ネットワーク装置にブロードキャストチャネル又はマルチキャストチャネルに対するチャネル受信状況をフィードバックすることを実現し、ネットワーク装置は端末装置が送信したターゲット情報を受信することで、チャネルの受信状況をタイムリーに取得でき、且つ端末装置はチャネル受信状況に応じて、ターゲット情報を送信するためのターゲット伝送リソースを決定し、該ターゲット伝送リソースでネットワーク装置に該ターゲット情報を送信することで、ネットワーク装置は該ターゲット情報を受信するためのターゲット伝送リソースに応じて具体的なチャネル受信状況を決定できる。それにより現在のチャネル受信状況に応じて後続のチャネル伝送のプロセスを指導し、チャネルの復調特性及び伝送効率を明らかに向上させる。
【図面の簡単な説明】
【００３６】
【図１】図１は本願の実施例に係るアプリケーションシナリオの概略アーキテクチャ図である。
【図２】図２は本願の実施例に係る情報伝送方法のプロセスインタラクション図である。
【図３】図３は本願の実施例に係る端末装置の概略ブロック図である。
【図４】図４は本願の実施例に係るネットワーク装置の概略ブロック図である。
【図５】図５は本願の実施例に係る端末装置の概略構成図である。
【図６】図６は本願の実施例に係るネットワーク装置の概略構成図である。
【図７】図７は本願の実施例に係るシステムチップの概略構成図である。
【発明を実施するための形態】
【００３７】
以下、図面を参照して本願の実施例の技術案を説明する。
【００３８】
理解すべきなのは、本願の実施例の技術案は、例えば、モバイル通信用グローバルシステム（Ｇｌｏｂａｌ  Ｓｙｓｔｅｍ  ｏｆ  Ｍｏｂｉｌｅ  Ｃｏｍｍｕｎｉｃａｔｉｏｎ、「ＧＳＭ」と略称する）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称する）システム、ロングタームエボリューション（Ｌｏｎｇ  Ｔｅｒｍ  Ｅｖｏｌｕｔｉｏｎ、「ＬＴＥ」と略称する）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称する）システム、ＬＴＥ時分割複信（Ｔｉｍｅ  Ｄｉｖｉｓｉｏｎ  Ｄｕｐｌｅｘ、「ＴＤＤ」と略称する）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称する）、及び将来の５Ｇ通信システム等の各種の通信システムに適用できる。
【００３９】
本願は端末装置を参照して各実施例を説明する。端末装置は、ユーザー装置（Ｕｓｅｒ  Ｅｑｕｉｐｍｅｎｔ、「ＵＥ」と略称する）、アクセス端末、ユーザーユニット、ユーザー局、移動局、移動ステーション、遠隔局、遠隔端末、移動装置、ユーザー端末、端末、無線通信装置、ユーザーエージェント又はユーザー装置であってもよい。アクセス端末はセルラーホン、コードレス電話、セッション開始プロトコル（Ｓｅｓｓｉｏｎ  Ｉｎｉｔｉａｔｉｏｎ  Ｐｒｏｔｏｃｏｌ、「ＳＩＰ」と略称する）電話、ワイヤレスローカルループ（Ｗｉｒｅｌｅｓｓ  Ｌｏｃａｌ  Ｌｏｏｐ、「ＷＬＬ」と略称する）局、パーソナルデジタルアシスタント（Ｐｅｒｓｏｎａｌ  Ｄｉｇｉｔａｌ  Ａｓｓｉｓｔａｎｔ、「ＰＤＡ」と略称する）、無線通信機能を有するハンドヘルドデバイス、コンピューティング装置又は無線モデムに接続されるほかの処理装置、車載装置、ウェアラブル装置、将来の５Ｇネットワークの端末装置又は将来の発展型ＰＬＭＮネットワークの端末装置等であってもよい。
【００４０】
本願はネットワーク装置を参照して各実施例を説明する。ネットワーク装置は端末装置と通信する装置であってもよく、例えば、ＧＳＭシステム又はＣＤＭＡ中の基地局（Ｂａｓｅ  Ｔｒａｎｓｃｅｉｖｅｒ  Ｓｔａｔｉｏｎ、「ＢＴＳ」と略称する）あってもよく、ＷＣＤＭＡシステム中の基地局（ＮｏｄｅＢ、「ＮＢ」と略称する）あってもよく、ＬＴＥシステム中の発展型基地局（Ｅｖｏｌｕｔｉｏｎａｌ  Ｎｏｄｅ  Ｂ、「ｅＮＢ」又は「ｅＮｏｄｅＢ」と略称する）あってもよく、又は該ネットワーク装置は中継局、アクセスポイント、車載装置、ウェアラブル装置及び将来の５Ｇネットワーク中のネットワーク側装置又は将来の発展型ＰＬＭＮネットワーク中のネットワーク側装置等であってもよい。
【００４１】
図１は本願の実施例に係るアプリケーションシナリオの概略図である。図１中の通信システムはネットワーク装置１０及び端末装置２０を備えてもよい。ネットワーク装置１０は端末装置２０に通信サービスを提供し且つコアネットワークにアクセスされ、端末装置２０はネットワーク装置１０が送信した同期信号、ブロードキャスト信号等を検索することでネットワークにアクセスされ、それによりネットワークとの通信を行う。図１に示される矢印は端末装置２０とネットワーク装置１０との間のセルラーリンクを介するアップリンク／ダウンリンク伝送を示す。
【００４２】
本願の実施例におけるネットワークは地上波公共移動通信ネットワーク（Ｐｕｂｌｉｃ  Ｌａｎｄ  Ｍｏｂｉｌｅ  Ｎｅｔｗｏｒｋ、「ＰＬＭＮ」と略称する）又はデバイスツーデバイス（Ｄｅｖｉｃｅ  ｔｏ  Ｄｅｖｉｃｅ、「Ｄ２Ｄ」と略称する）ネットワーク又はマシンツーマシン／マン（Ｍａｃｈｉｎｅ  ｔｏ  Ｍａｃｈｉｎｅ／Ｍａｎ、「Ｍ２Ｍ」と略称する）ネットワーク又はほかのネットワークであってもよく、図１は例示的な簡略化した概略図に過ぎず、ネットワークはほかの端末装置を備えてもよく、図１では図示していない。
【００４３】
図２は本願の実施例に係る情報伝送方法のプロセスインタラクション図である。図２にネットワーク装置及び端末装置が示され、該ネットワーク装置は例えば、図１に示されるネットワーク装置１０であり、該端末装置は例えば、図１に示される端末装置２０であってもよい。図２に示すように、該情報伝送の具体的なプロセスはステップ２１０〜２６０を含む。
【００４４】
２１０では、ネットワーク装置は、ブロードキャストチャネル又はマルチキャストチャネルを含むターゲットチャネルを端末装置に送信する。
【００４５】
２２０では、端末装置はネットワーク装置が送信した該ターゲットチャネルを受信する。
【００４６】
２３０では、前記端末装置は、前記ターゲットチャネルの受信結果が所定条件を満たす時、前記ネットワーク装置にターゲット情報を送信することを決定する。
【００４７】
具体的には、端末装置は該ターゲットチャネルを受信すると、該チャネルを受信処理し、該ターゲットチャネルの受信結果に基づき、すなわち該ターゲットチャネルに対する受信処理の結果に基づき判断を行い、該受信結果が所定条件を満たすと、端末装置はネットワーク装置にターゲット情報を送信することを決定し、ネットワーク装置に該ターゲットチャネルの処理結果を指示する。本願の実施例は３種の方式によって該ターゲット情報の送信を決定し、以下、これらの３種の方式を詳細に説明する。
【００４８】
方式１
選択肢として、該ターゲットチャネルの受信結果は端末装置の該ターゲットチャネルに対する復号に失敗する復号ユニットの数Ｎ（Ｎは正の整数）を含み、該復号に失敗する復号ユニットは復号に失敗する伝送ブロック、又は復号に失敗する伝送ブロックを含む伝送時間ユニットである。
【００４９】
この場合、端末装置はターゲットチャネルの受信結果が所定条件を満たす時、前記ネットワーク装置にターゲット情報を送信することを決定することは、端末装置はＮが第１閾値以上である時、ネットワーク装置に該ターゲット情報を送信することを決定することを含む。
【００５０】
具体的には、端末装置は該ターゲットチャネルを復号し、復号に失敗する復号ユニットの数Ｎが第１閾値以上であると、端末装置は、ネットワーク装置に通知するようにネットワーク装置にターゲット情報を送信することを決定する。
【００５１】
例えば、第１閾値が１であると、端末装置は該復号ユニットを単位として受信したターゲットチャネルを復号する時、ある復号ユニットの復号に失敗すると発見した場合、ネットワーク装置にターゲット情報を送信する。
【００５２】
本願の実施例では、復号ユニットは、伝送ブロックであってもよく、伝送時間ユニット、例えばサブフレーム、スロット等であってもよく、ここでそれを限定しない。復号に失敗する伝送ユニットの数Ｎは、該ターゲットチャネルの復号に失敗する伝送ブロックの数Ｎであってもよく、又は復号に失敗する伝送ブロックを含む伝送時間ユニットの数Ｎであってもよい。ある伝送時間ユニット中で複数の伝送ブロックが伝送されると、該複数の伝送ブロックのうちの１つの伝送ブロックの復号が失敗すると、該伝送時間ユニットでの復号の失敗を示す。
【００５３】
また、例えば、第１閾値が５であると、端末装置はターゲットチャネルを復号する時、復号に失敗する復号ユニットの数Ｎが５に達すると、ネットワーク装置に通知するようにようやくネットワーク装置に該ターゲット情報を送信する。例えば、端末装置は該ターゲットチャネルを伝送する第１個の伝送ブロックの復号に失敗し、第２個の伝送ブロックの復号に成功し、第３個の伝送ブロックの復号に失敗し、第４個の伝送ブロックの復号に成功し、第５個の伝送ブロックの復号に失敗し、第６個の伝送ブロックの復号に失敗し、第７個の伝送ブロックの復号に失敗すると、第７個の伝送ブロックに対する第７回の復号まで、Ｎがようやく５に達し、端末装置はネットワーク装置に該ターゲット情報を送信する。
【００５４】
他の場合では、端末装置は、連続的に復号に失敗する復号ユニットの数がある所定閾値以上である時、ネットワーク装置にターゲット情報を送信することを決定してもよいことを理解すべきである。
【００５５】
例えば、復号に失敗する復号ユニットの数を記録する時、該復号に失敗する復号ユニットが連続的である必要がある。依然として、端末装置が該ターゲットチャネルを伝送する第１個の伝送ブロックの復号に失敗し、第２個の伝送ブロックの復号に成功し、第３個の伝送ブロックの復号に失敗し、第４個の伝送ブロックの復号に成功し、第５個の伝送ブロックの復号に失敗し、第６個の伝送ブロックの復号に失敗し、第７個の伝送ブロックの復号に失敗することを仮定すると、第７個の伝送ブロックに対する第７回の復号まで、連続的に復号に失敗する復号ユニットの数が３であり、第８個の伝送ブロックの復号と第９個の伝送ブロックの復号にも失敗すると、連続的に復号に失敗する復号ユニットの数がようやく５に達し、端末装置はネットワーク装置に該ターゲット情報を送信する。
【００５６】
方式２
選択肢として、該ターゲットチャネルの受信結果は、端末装置が該ターゲットチャネルを復号する少なくともＭ（Ｍは正の整数）個の復号ユニットのうち復号に失敗する復号ユニットの数の少なくともＭ個の復号ユニットに対する比率Ｐ（０≦Ｐ≦１）を含み、該復号に失敗する復号ユニットは復号に失敗する伝送ブロック、又は復号に失敗する伝送ブロックを含む伝送時間ユニットである。
【００５７】
この場合、端末装置はターゲットチャネルの受信結果が所定条件を満たす時、前記ネットワーク装置にターゲット情報を送信することを決定することは、端末装置はＰが第２閾値以上である時、ネットワーク装置に該ターゲット情報を送信することを決定することを含む。
【００５８】
例えば、端末装置は該ターゲットチャネルを復号する時、連続的に少なくともＭ個の伝送ブロックを復号する過程で、復号に失敗する比率Ｐが第１閾値以上であると、端末装置はネットワーク装置に該ターゲット情報を送信することを決定する。ここで、Ｐ＝復号に失敗する伝送ブロックの数／少なくともＭ個の伝送ブロックの総数とする。
【００５９】
例えば、第１閾値が２０％であり、Ｍ＝５であると仮定し、端末装置は該ターゲットチャネルを復号する時、連続的に５個の伝送ブロックを復号した後、これら５回の復号に対する復号失敗の比率Ｐを計算し、Ｐ≧２０％であると、ネットワーク装置に該ターゲット情報を送信することを決定する。例えば、端末装置は連続的に５個の伝送ブロックを復号した後、これらの５回の復号のうち復号に失敗する伝送ブロックの数が２であることを発見すると、Ｐ＝４０％≧２０％であると計算し、ネットワーク装置にターゲット情報を送信することを決定し、これら５回の復号のうち復号に失敗する伝送ブロックの数が０であることを発見すると、Ｐ＝０＜２０％であり、ターゲット情報を送信する必要がない。
【００６０】
また、例えば、第１閾値が２０％であり、Ｍ＝５であると仮定し、端末装置は該ターゲットチャネルを復号する時、端末装置は１個の伝送ブロックの復号が失敗するとＰ≧２０％を満たすと決定し、そして端末装置は該伝送ブロックの復号に失敗すると、ネットワーク装置にターゲット情報を送信することを決定し、それによりネットワーク装置に該ターゲット情報をフィードバックしてチャネル受信状況をフィードバックし、これら５回の復号のうち復号に失敗する伝送ブロックの数が０であることを発見すると、Ｐ＝０＜２０％であり、ネットワーク装置にターゲット情報を送信する必要がないことを決定する。
【００６１】
選択肢として、端末装置がネットワーク装置にターゲット情報を送信することを決定する前、該方法は、端末装置は前記ネットワーク装置が送信した、Ｍを指示するための第１指示情報を受信するステップをさらに含む。
【００６２】
ここで、Ｍの値はネットワーク装置により決定されて端末装置に指示されてもよく、例えばプロトコルに規定されるように事前に約束されてもよい。
【００６３】
理解すべきなのは、該ターゲットチャネルの受信結果は、端末装置が該ターゲットチャネルを復号する少なくともＭ個の復号ユニットのうち復号に失敗する復号ユニットの数の少なくともＭ個の復号ユニットに対する比率Ｐを含む。すなわち、端末装置は連続的にＭ個の伝送ブロックを復号した後に復号に失敗する比率Ｐを決定できるだけでなく、Ｍ二より多い伝送ブロックを復号した後に復号に失敗する比率Ｐを決定できる。Ｍの値は端末装置がＰを計算するための復号の伝送ブロックの数の下限値であってもよい。
【００６４】
方式３
選択肢として、該ターゲットチャネルの受信結果は、端末装置による該ターゲットチャネルターゲットチャネルに対応する変調及び符号化方式ＭＣＳ調整量を含む。
【００６５】
この場合、端末装置はターゲットチャネルの受信結果が所定条件を満たす時、ネットワーク装置にターゲット情報を送信することを決定することは、端末装置は該ターゲットチャネルに対してＭＣＳ測定を行うことと、端末装置は測定したＭＣＳの等級、及び該ターゲットチャネルに使用されるＭＣＳの等級に応じて、ＭＣＳ調整量を決定することと、端末装置は該ＭＣＳ調整量として該ＭＣＳ調整量がゼロではないこと、該ＭＣＳ調整量の値が非負数で、且つ第３閾値以上であること、又は該ＭＣＳ調整量の値が負数で、且つ第４閾値以下であることのうちの少なくとも１種を満たす時、ネットワーク装置に該ターゲット情報を送信することを決定することと、を含む。
【００６６】
具体的には、端末装置は該ターゲットチャネルを復号する時、まず、該ターゲットチャネルに対してＭＣＳ測定を行い、例えば、該ターゲットチャネルに含まれるチャネル状態情報（Ｃｈａｎｎｅｌ  Ｓｔａｔｅ  Ｉｎｆｏｒｍａｔｉｏｎ、「ＣＳＩ」と略称する）又は該ターゲットチャネルに含まれる復調基準信号（Ｄｅ  Ｍｏｄｕｌａｔｉｏｎ  Ｒｅｆｅｒｅｎｃｅ  Ｓｉｇｎａｌ、「ＤＭＲＳ」と略称する）に基づき、ＭＣＳ測定を行う。測定したＭＣＳは理想的な所要のＭＣＳである。端末装置は測定したＭＣＳの等級、及び該ターゲットチャネルに使用されるＭＣＳの等級に応じて、該ＭＣＳ調整量すなわちＭＣＳ調整級数を決定し、該ＭＣＳ調整級数がプリセット条件を満たす時、ネットワーク装置にターゲット情報を送信することを決定し、上記条件は、例えば、該ＭＣＳ調整量がゼロではないこと、又は該ＭＣＳ調整量の値が非負数で、且つ第３閾値以上であること、又は該ＭＣＳ調整量の値が負数で、且つ第４閾値以下であることである。
【００６７】
例えば、該ＭＣＳ調整級数が満たすプリセット条件はＭＣＳ調整量がゼロではないことである場合、該ＭＣＳ調整量が０ではない時、端末装置はネットワーク装置に該ターゲット情報を送信し、該ＭＣＳ調整量が０に等しい時、ＭＣＳ調整が不要で、端末装置はネットワーク装置に該ターゲット情報を送信しなくてもよい。
【００６８】
また、例えば、該ＭＣＳ調整量は測定したＭＣＳの等級から該ターゲットチャネルに使用されるＭＣＳの等級を減算したものであると仮定する。端末装置は計算したところ、該ＭＣＳ調整量の値が正であると発見した場合、端末装置は該ＭＣＳ調整量の値が第３閾値以上である時、ネットワーク装置に該ターゲット情報を送信し、ネットワーク装置に後続の伝送でＭＣＳの等級を上げてもよいことを指示し、更に、ネットワーク装置がＭＣＳの等級を上げる量、すなわちＭＣＳの等級の増加量は第３閾値に等しくてもよい。
【００６９】
また、例えば、該ＭＣＳ調整量は測定したＭＣＳの等級から該ターゲットチャネルに使用されるＭＣＳの等級を減算したものであると仮定する。該ＭＣＳ調整量すなわち調整級数の値が負である場合、端末装置は該ＭＣＳ調整量の値が第４閾値以下である時、ネットワーク装置に該ターゲット情報を送信し、ネットワーク装置に後続の伝送でＭＣＳの等級を下げてもよいことを指示し、更に、ＭＣＳの等級を下げる量、すなわちＭＣＳの等級の低減量が第４閾値に等しくてもよい。ここで、第３閾値と第４閾値はＭＣＳの等級の増加とＭＣＳの等級の低減に対するネットワーク装置の感度が異なることを考慮して設定される。
【００７０】
また、例えば、該ＭＣＳ調整量は測定したＭＣＳの等級から該ターゲットチャネルに使用されるＭＣＳの等級を減算したものであると仮定する。該ＭＣＳ調整量が満たすプリセット条件は該ＭＣＳ調整量すなわち調整級数の値がゼロ超え又はゼロ未満である。端末装置は計算したところ、該ＭＣＳ調整量の値がゼロを超えると発見した場合、端末装置はネットワーク装置に該ターゲット情報を送信し、該ターゲット情報はネットワーク装置に後続の伝送でＭＣＳの等級を上げてもよいことを指示してもよく、該ＭＣＳ調整量すなわち調整級数の値がゼロ未満であると、端末装置はネットワーク装置に該ターゲット情報を送信し、且つ該ターゲット情
報はネットワーク装置に後続の伝送ではＭＣＳの等級を下げてもよいことを指示してもよい。
【００７１】
２４０では、端末装置は少なくとも１つの伝送リソースのうち該ターゲット情報を伝送するためのターゲット伝送リソースを決定する。
【００７２】
具体的には、端末装置はネットワーク装置にターゲット情報を送信することを決定した後、少なくとも１つの伝送リソースのうち該ターゲット情報を伝送するためのターゲット伝送リソースを決定する。端末装置は具体的には５種の方式によって該ターゲット伝送リソースを決定することができ、以下、詳細に説明する。
【００７３】
方式１
端末装置は少なくとも１つの伝送リソースから１つの伝送リソースを該ターゲット伝送リソースとしてランダムに選択する。
【００７４】
２４０では、該少なくとも１つの伝送リソースは例えば、端末装置がネットワーク装置の送信した第２指示情報を受信して取得される。ネットワーク装置は例えば、ハイレイヤシグナリング又はダウンリンク制御シグナリングによって端末装置に第２指示情報を送信でき、端末装置は該第２指示情報に指示される少なくとも１つの伝送リソースに基づき、該少なくとも１つの伝送リソースから該ターゲット伝送リソースを決定する。
【００７５】
ここで、少なくとも１つの伝送リソースの情報はネットワーク装置により決定されて端末装置に指示されてもよく、例えばプロトコルに規定されるように事前に約束されてもよい。
【００７６】
方式２
端末装置は該少なくとも１つの伝送リソースのうち該端末装置の特定パラメータに対応する伝送リソースを該ターゲット伝送リソースとして決定する。
【００７７】
該特定パラメータは端末装置の固有の伝送パラメータ、リソースパラメータ、装置パラメータ等であり、異なる端末装置の特定パラメータの値が異なる。例えば、端末装置の特定伝送パラメータは、端末装置の識別子（Ｉｄｅｎｔｉｔｙ、「ＩＤ」と略称する）、又は端末装置がその制御チャネルを伝送するためのリソースの番号、又は端末装置が通信中に占有するある物理リソースブロックの番号、又は端末装置が伝送中に使用するほかのパラメータの値等である。
【００７８】
端末装置は、自体の特定パラメータ、及び予め設定したパラメータ値と伝送リソースとの対応関係に基づき、前記端末装置の特定パラメータに対応する伝送リソースを該ターゲット伝送リソースとして決定し、該ターゲット伝送リソースでネットワーク装置に該ターゲット情報を送信する。
【００７９】
方式３
端末装置は該ターゲットチャネルの受信結果、及びチャネル受信結果と伝送リソースとのマッピング関係に基づき、該少なくとも１つの伝送リソースのうち該ターゲットチャネルの受信結果に対応する伝送リソースを該ターゲット伝送リソースとして決定する。ここでの受信結果は、例えば、上記ステップ２３０についての説明中の方式１〜方式３のうちのいずれかの方式中の受信結果であってもよい。
【００８０】
例えば、ターゲットチャネルの受信結果は端末装置のターゲットチャネルに対する復号に連続的に失敗する伝送ブロックの数Ｑを含む場合、端末装置はＱ個の伝送ブロックに対する復号に失敗すると、表１に基づき、少なくとも１つの伝送リソースのうちＱの値に対応する伝送リソースをターゲット伝送リソースとして検索できる。例えば、Ｑ＝８と仮定すると、表１に基づき、伝送リソース２はターゲット伝送リソースである。
【００８１】
【表１】
2020516088.tif 000003
【００８２】
また、例えば、ターゲットチャネルの受信結果は端末装置が該ターゲットチャネルを復号するＭ個の伝送ブロックのうち復号に失敗する伝送ブロックの数のＭ個の復号ユニットに対する比率Ｐを含むと仮定する。端末装置はＰを決定した後、表２に基づき、少なくとも１つの伝送リソースのうちＰの値に対応する伝送リソースをターゲット伝送リソースとして検索できる。例えば、Ｐ＝３０％と仮定すると、表２に基づき、伝送リソース２がターゲット伝送リソースである。
【００８３】
【表２】
2020516088.tif 000004
【００８４】
また、例えば、ターゲットチャネルの受信結果はＭＣＳ調整級数を含み、且つ該ＭＣＳ調整量は端末装置により測定されたＭＣＳの等級から該ターゲットチャネルに使用されるＭＣＳの等級を減算したものであると仮定する。この場合、端末装置はＭＣＳ調整級数を決定した後、表３に基づき、少なくとも１つの伝送リソースのうち該ＭＣＳ調整級数の値に対応する伝送リソースをターゲット伝送リソースとして検索できる。例えば、ＭＣＳ調整級数の値が＋２（すなわち２級上げる）であると仮定すると、表３に基づき、伝送リソース３がターゲット伝送リソースである。
【００８５】
【表３】
2020516088.tif 000005
【００８６】
方式４
端末装置は該ターゲットチャネルの受信結果、及びチャネル受信結果と伝送リソースグループとのマッピング関係に基づき、該ターゲットチャネルの受信結果に対応するターゲット伝送リソースグループを決定する。端末装置はターゲット伝送グループを決定した後、該ターゲット伝送リソースグループから１つの伝送リソースを該ターゲット伝送リソースとしてランダムに選択し、又は、端末装置は該端末装置の特定パラメータに基づき、該ターゲット伝送リソースグループから端末装置の特定パラメータに対応する伝送リソースを該ターゲット伝送リソースとして決定してもよい。
【００８７】
端末装置が該ターゲット伝送リソースグループを決定する方式は、端末装置がターゲット伝送リソースを決定する方式と類似する。
【００８８】
例えば、ターゲットチャネルの受信結果は端末装置のターゲットチャネルに対する復号に連続的に失敗する伝送ブロックの数Ｑを含む場合、端末装置はＱ個の伝送ブロックに対する復号にＱ回連続的に失敗すると、表４に基づき、少なくとも１つの伝送リソースグループからＱの値に対応する伝送リソースグループをターゲット伝送リソースグループとして検索できる。例えば、Ｑ＝１８と仮定すると、表４に基づき、伝送リソースグループ４がターゲット伝送リソースグループであり、端末装置は伝送リソースグループ４から１つの伝送リソースを該ターゲット伝送リソースとしてランダムに選択し、又は該端末装置の特定パラメータに基づき、該ターゲット伝送リソースグループから端末装置の特定パラメータに対応する伝送リソースを該ターゲット伝送リソースとして決定できる。
【００８９】
【表４】
2020516088.tif 000006
【００９０】
また、例えば、ターゲットチャネルの受信結果は端末装置が該ターゲットチャネルを復号するＭ個の伝送ブロックのうち復号に失敗する伝送ブロックの数のＭ個の復号ユニットに対する比率Ｐを含むと仮定する。端末装置はＰを決定した後、表５に基づき、少なくとも１つの伝送リソースグループからＰの値に対応する伝送リソースグループをターゲット伝送リソースグループとして検索できる。例えば、Ｐ＝６０％と仮定すると、表５に基づき、伝送リソースグループ３がターゲット伝送リソースグループであり、端末装置は伝送リソースグループ３から１つの伝送リソースを該ターゲット伝送リソースとしてランダムに選択し、又は該端末装置の特定パラメータに基づき、該ターゲット伝送リソースグループから端末装置の特定パラメータに対応する伝送リソースを該ターゲット伝送リソースとして決定できる。
【００９１】
【表５】
2020516088.tif 000007
【００９２】
また、例えば、ターゲットチャネルの受信結果はＭＣＳ調整級数を含み、且つ該ＭＣＳ調整量は端末装置により測定されたＭＣＳの等級から該ターゲットチャネルに使用されるＭＣＳの等級を減算したものであると仮定する。この場合、端末装置はＭＣＳ調整級数を決定した後、表６に基づき、少なくとも１つの伝送リソースグループから該ＭＣＳ調整級数の値に対応する伝送リソースグループをターゲット伝送リソースグループとして検索できる。例えば、ＭＣＳ調整級数の値が＋２（すなわち２級上げ）であると仮定すると、表６に基づき、伝送リソースグループ３がターゲット伝送リソースグループであり、端末装置は伝送リソースグループ３から１つの伝送リソースを該ターゲット伝送リソースとしてランダムに選択し、又は該端末装置の特定パラメータに基づき、該ターゲット伝送リソースグループから端末装置の特定パラメータに対応する伝送リソースを該ターゲット伝送リソースとして決定できる。
【００９３】
【表６】
2020516088.tif 000008
【００９４】
２５０では、端末装置は該ターゲット伝送リソースでネットワーク装置に該ターゲット情報を送信する。
【００９５】
端末装置はターゲット情報を送信するためのターゲット伝送リソースを決定した後、該ターゲット伝送リソースでネットワーク装置に該該ターゲット情報を送信して、ネットワーク装置にその送信したターゲットチャネルの受信結果を指示する。
【００９６】
２６０では、ネットワーク装置は端末装置が前記ターゲットチャネルの受信結果に基づき送信したターゲット情報を該ターゲット伝送リソースで受信すると、ネットワーク装置は該ターゲット時間周波数リソースで受信した該ターゲット情報に基づき、該ターゲットチャネルの受信結果を決定する。
【００９７】
該ターゲット情報が該端末装置によりターゲット伝送リソースで送信され、且つ該ターゲット伝送リソースが前記端末装置によりターゲットチャネルの受信結果に基づき少なくとも１つの伝送リソースから決定されたため、ネットワーク装置は該ターゲット情報に基づき端末装置からの該ターゲットチャネルの受信結果に対するフィードバックを取得できる。それに対応して、本願の実施例は３種の方式を提供してネットワーク装置によって該ターゲットチャネルの受信結果を決定し、以下、これら３種の方式を詳細に説明する。
【００９８】
方式１
該ターゲットチャネルの受信結果は端末装置の該ターゲットチャネルに対する復号に失敗する復号ユニットの数Ｎ（Ｎは正の整数）を含み、該復号に失敗する復号ユニットは復号に失敗する伝送ブロック、又は復号に失敗する伝送ブロックを含む伝送時間ユニットである。
【００９９】
この場合、ネットワーク装置はターゲット時間周波数リソースで受信した該ターゲット情報に基づき、該ターゲットチャネルの受信結果を決定することは、ネットワーク装置が該ターゲット情報を受信すると、ネットワーク装置はＮが第１閾値以上であると決定することを含む。
【０１００】
方式２
該ターゲットチャネルの受信結果は端末装置が該ターゲットチャネルを復号する少なくともＭ（Ｍは正整数）個の復号ユニットのうち復号に失敗する復号ユニットの数の少なくともＭ個の復号ユニットに対する比率Ｐ（０≦Ｐ≦１）を含み、該復号に失敗する復号ユニットは復号に失敗する伝送ブロック、又は復号に失敗する伝送ブロックを含む伝送時間ユニットである。
【０１０１】
この場合、ネットワーク装置は前記ターゲット時間周波数リソースで受信した前記ターゲット情報に基づき、該ターゲットチャネルの受信結果を決定することは、ネットワーク装置は該ターゲット情報を受信すると、ネットワーク装置はＰが第２閾値以上であると決定することを含む。
【０１０２】
方式３
該ターゲットチャネルの受信結果は該ターゲットチャネルに対応する変調及び符号化方式ＭＣＳ調整量を含み、この場合、ネットワーク装置は該ターゲット時間周波数リソースで受信した該ターゲット情報に基づき、該ターゲットチャネルの受信結果を決定することは、ネットワーク装置は該ターゲット情報を受信すると、該ＭＣＳ調整量として、該ＭＣＳ調整量がゼロではないこと、該ＭＣＳ調整量の値が非負数で、且つ第３閾値以上であること、該ＭＣＳ調整量の値が負数で、且つ第４閾値以下であることのうちのいずれかを満たすと決定することを含む。
【０１０３】
理解すべなのは、ネットワーク装置は該ターゲット時間周波数リソースで受信した該ターゲット情報に基づき、該ターゲットチャネルの受信結果を決定し、該ターゲット情報の受信と該ターゲット情報の受信結果との関係は、具体的には上記ステップ２３０についての説明中の方式１〜方式３中の詳細説明を参照すればよい。簡潔にするために、ここでは詳細説明を省略する。
【０１０４】
以上、ネットワーク装置は該ターゲット情報を受信するか否かに応じて該ターゲットチャネルの受信結果を決定できることを説明し、例えば、該ターゲット情報を受信した時、連続的に復号に失敗する伝送ブロックの数がある特定の閾値よりも大きいと決定し、又は復号に失敗する比率が特定の閾値よりも大きいと決定できる。しかしながら、ネットワーク装置はさらに具体的には連続的に復号に失敗する伝送ブロックの数、復号に失敗する比率が具体的にはどの区間にあるかを取得する必要がある場合、ネットワーク装置は更に該ターゲット情報を受信するための該ターゲット時間周波数リソースに基づき、該ターゲットチャネルの詳細な受信結果を決定してもよい。
【０１０５】
選択肢として、ネットワーク装置は該ターゲット時間周波数リソースで受信した前記ターゲット情報に基づき、前記ターゲットチャネルの受信結果を決定することは、ネットワーク装置は該ターゲット情報を受信するための該ターゲット伝送リソース、及び伝送リソースとチャネル受信結果とのマッピング関係に基づき、該ターゲット伝送リソースに対応するチャネル受信結果を該ターゲットチャネルの受信結果として決定すること、又は、ネットワーク装置は該ターゲット情報を受信するための該ターゲット伝送リソースの所属するターゲット伝送リソースグループ、及び伝送リソースグループとチャネル受信結果とのマッピング関係に基づき、該ターゲット伝送リソースグループに対応するチャネル受信結果を該ターゲットチャネルの受信結果として決定することを含む。ここで、受信結果は例えば、上記ステップ２６０についての説明中の方式１〜方式３のうちのいずれかの方式中の受信結果であってもよい。
【０１０６】
例えば、ターゲットチャネルの受信結果は端末装置のターゲットチャネルに対する復号に連続的に失敗する伝送ブロックの数Ｑを含んでもよい。ネットワーク装置は伝送リソース２で該ターゲット情報を受信すると、表１基づき、伝送リソース２に対応する値が８であると検索し、ネットワーク装置は該ターゲットチャネルの連続的に復号に失敗する伝送ブロックの数Ｑが８≦Ｑ＜１２を満たすことを分かる。
【０１０７】
また、例えば、ターゲットチャネルの受信結果は端末装置が該ターゲットチャネルを復号する少なくともＭ個の伝送ブロックのうち復号に失敗する伝送ブロックの数の少なくともＭ個の復号ユニットに対する比率Ｐを含むと仮定する。ネットワーク装置は伝送リソース２で該ターゲット情報を受信すると、表２で示されるマッピング関係に基づき、該ターゲットチャネルの復号失敗比率が２５％＜Ｐ≦５０％であると検索できる。
【０１０８】
また、例えば、ターゲットチャネルの受信結果はＭＣＳ調整級数を含み、且つ該ＭＣＳ調整量は端末装置により測定されたＭＣＳの等級から該ターゲットチャネルに使用されるＭＣＳの等級を減算したものであると仮定する。ネットワーク装置は伝送リソース３で該ターゲット情報を受信すると、表３で示されるマッピング関係に基づき、該ＭＣＳ調整級数の値が＋２（すなわち２級上げ）であると検索できる。従って、ネットワーク装置は後続のチャネル送信では、２級上げられたＭＣＳ級数でデータ伝送を行うことができる。
【０１０９】
ネットワーク装置はさらに、該ターゲット情報を受信するための該ターゲット伝送リソースの所属するターゲット伝送リソースグループ、及び伝送リソースグループとチャネル受信結果とのマッピング関係に基づき、該ターゲット伝送リソースグループに対応するチャネル受信結果を該ターゲットチャネルの受信結果として決定してもよい。伝送リソースとチャネル受信結果とのマッピング関係、及び伝送リソースグループとチャネル受信結果とのマッピング関係は、具体的には上記ステップ２４０についての説明中の方式３及び方式４中の詳細説明を参照すればよい。簡潔にするために、ここでは詳細説明を省略する。
【０１１０】
本願の実施例では、端末装置はネットワーク装置にターゲット情報を送信することでネットワーク装置にブロードキャストチャネル又はマルチキャストチャネルに対するチャネル受信状況をフィードバックすることを実現し、ネットワーク装置は端末装置が送信したターゲット情報を受信することで、チャネルの受信状況をタイムリーに取得でき、且つ端末装置はチャネル受信状況に応じて、ターゲット情報を送信するためのターゲット伝送リソースを決定し、該ターゲット伝送リソースでネットワーク装置に該ターゲット情報を送信することで、ネットワーク装置は該ターゲット情報を受信するためのターゲット伝送リソースに基づき詳細なチャネル受信状況を決定することができる。それにより、現在のチャネル受信状況に応じて後続のチャネル伝送のプロセスを指導し、チャネルの復調特性及び伝送効率を明らかに向上させる。
【０１１１】
図３は本願の実施例に係る端末装置３００の概略ブロック図である。図３に示すように、該端末装置３００は伝送ユニット３１０及び決定ユニット３２０を備える。
【０１１２】
伝送ユニット３１０は、ネットワーク装置が送信した、ブロードキャストチャネル又はマルチキャストチャネルを含むターゲットチャネルを受信し、
決定ユニット３２０は、前記伝送ユニットにより受信された前記ターゲットチャネルの受信結果が所定条件を満たす時、前記ネットワーク装置にターゲット情報を送信することを決定し、少なくとも１つの伝送リソースのうち前記ターゲット情報を送信するためのターゲット伝送リソースを決定し、
伝送ユニット３１０はさらに、前記ネットワーク装置に前記ターゲットチャネルの受信結果を指示するための前記ターゲット情報を、前記決定ユニット３２０により決定された前記ターゲット伝送リソースで前記ネットワーク装置に送信する。
【０１１３】
従って、端末装置はネットワーク装置にターゲット情報を送信することでネットワーク装置にブロードキャストチャネル又はマルチキャストチャネルに対するチャネル受信状況をフィードバックすることを実現し、ネットワーク装置はチャネルの受信状況をタイムリーに取得することができ、それにより現在のチャネル受信状況に応じて後続のチャネル伝送のプロセスを指導し、チャネルの復調特性及び伝送効率を明らかに向上させる。
【０１１４】
選択肢として、前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、
前記決定ユニット３２０は具体的には、Ｎが第１閾値以上である時、前記ネットワーク装置に前記ターゲット情報を送信することを決定する。
【０１１５】
選択肢として、前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、
前記決定ユニット３２０は具体的には、Ｐが第２閾値以上である時、前記ネットワーク装置に前記ターゲット情報を送信することを決定する。
【０１１６】
選択肢として、前記伝送ユニット３１０はさらに、前記決定ユニット３２０が前記ネットワーク装置にターゲット情報を送信することを決定する前、前記ネットワーク装置が送信した、Ｍを指示するための第１指示情報を受信する。
【０１１７】
選択肢として、前記ターゲットチャネルの受信結果は前記ターゲットチャネルに対応する変調及び符号化方式ＭＣＳ調整量を含み、前記決定ユニット３２０は具体的には、前記ターゲットチャネルに対してＭＣＳ測定を行い、測定したＭＣＳの等級、及び前記ターゲットチャネルに使用されるＭＣＳの等級に応じて、前記ＭＣＳ調整量を決定し、前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たす時、前記ネットワーク装置に前記ターゲット情報を送信することを決定する。
【０１１８】
選択肢として、前記決定ユニット３２０は具体的には、前記ターゲットチャネルに含まれる復調基準信号ＤＭＲＳに基づき前記ＭＣＳ測定を行う。
【０１１９】
選択肢として、前記決定ユニット３２０は具体的には、前記少なくとも１つの伝送リソースから１つの伝送リソースを前記ターゲット伝送リソースとしてランダムに選択し、又は
前記少なくとも１つの伝送リソースのうち前記端末装置の特定パラメータに対応する伝送リソースを前記ターゲット伝送リソースとして決定し、異なる端末装置の特定パラメータの値が異なり、又は
前記ターゲットチャネルの受信結果、及びチャネル受信結果と伝送リソースとのマッピング関係に基づき、前記少なくとも１つの伝送リソースのうち前記ターゲットチャネルの受信結果に対応する伝送リソースを前記ターゲット伝送リソースとして決定し、又は
前記ターゲットチャネルの受信結果、及びチャネル受信結果と伝送リソースグループとのマッピング関係に基づき、前記ターゲットチャネルの受信結果に対応するターゲット伝送リソースグループを決定し、前記ターゲット伝送リソースグループから１つの伝送リソースを前記ターゲット伝送リソースとしてランダムに選択し、又は前記特定パラメータに基づき前記ターゲット伝送リソースグループから前記端末装置の特定パラメータに対応する伝送リソースを前記ターゲット伝送リソースとして決定する。
【０１２０】
選択肢として、前記伝送ユニット３１０はさらに、前記決定ユニット３２０がターゲット伝送リソースを決定する前、前記ネットワーク装置が送信した、前記少なくとも１つの伝送リソースの情報を含む第２指示情報を受信する。
【０１２１】
選択肢として、前記少なくとも１つの伝送リソースに対応する時間領域リソース、周波数領域リソース及びコード領域リソースのうち少なくとも１種は異なる又はすべては異なる。
【０１２２】
理解すべきなのは、該端末装置３００は方法の実施例の端末装置に対応し、該端末装置の対応する機能を実現でき、簡潔にするために、ここで詳細説明を省略する。
【０１２３】
図４は本願の実施例に係るネットワーク装置４００の概略ブロック図である。図４に示すように、該ネットワーク装置４００は伝送ユニット４１０及び決定ユニット４２０を備える。
【０１２４】
伝送ユニット４１０は、ブロードキャストチャネル又はマルチキャストチャネルを含むターゲットチャネルを端末装置に送信し、
決定ユニット４２０は、前記端末装置によって少なくとも１つの伝送リソースから決定されるターゲット伝送リソースで、前記端末装置が前記ターゲットチャネルの受信結果に基づき送信したターゲット情報を受信すると、前記ターゲット時間周波数リソースで受信した前記ターゲット情報に基づき、前記ターゲットチャネルの受信結果を決定する。
【０１２５】
従って、ネットワーク装置は端末装置の送信したチャネル伝送状況に関連するターゲット情報を受信することで、チャネルの受信状況をタイムリーに取得でき、それにより現在のチャネル受信状況に応じて後続のチャネル伝送のプロセスを指導し、チャネルの復調特性及び伝送効率を明らかに向上させる。
【０１２６】
選択肢として、前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、
前記決定ユニット４２０は具体的には、前記伝送ユニット４１０が前記ターゲット情報を受信すると、Ｎが第１閾値以上であると決定する。
【０１２７】
選択肢として、前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、
前記決定ユニット４２０は具体的には、前記伝送ユニット４１０が前記ターゲット情報を受信すると、Ｐが第２閾値以上であると決定する。
【０１２８】
選択肢として、前記伝送ユニット４１０はさらに、Ｍを指示するための第１指示情報を前記端末装置に送信する。
【０１２９】
選択肢として、前記ターゲットチャネルの受信結果は前記ターゲットチャネルに対応する変調及び符号化方式ＭＣＳ調整量を含み、前記決定ユニット４２０は具体的には、前記伝送ユニット４１０が前記ターゲット情報を受信すると、前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たすと決定する。
【０１３０】
選択肢として、前記決定ユニット４２０は具体的には、前記ターゲット情報を受信するための前記ターゲット伝送リソース、及び伝送リソースとチャネル受信結果とのマッピング関係に基づき、前記ターゲット伝送リソースに対応するチャネル受信結果を前記ターゲットチャネルの受信結果として決定し、又は
前記ターゲット情報を受信するための前記ターゲット伝送リソースの所属するターゲット伝送リソースグループ、及び伝送リソースグループとチャネル受信結果とのマッピング関係に基づき、前記ターゲット伝送リソースグループに対応するチャネル受信結果を前記ターゲットチャネルの受信結果として決定する。
【０１３１】
選択肢として、前記伝送ユニット４１０はさらに、前記端末装置が前記ターゲットチャネルの受信結果に基づき送信したターゲット情報を受信する前、前記少なくとも１つの伝送リソースの情報を含む第２指示情報を前記端末装置に送信する。
【０１３２】
選択肢として、前記少なくとも１つの伝送リソースに対応する時間領域リソース、周波数領域リソース及びコード領域リソースのうち少なくとも１種は異なる又はすべては異なる。
【０１３３】
理解すべきなのは、該ネットワーク装置４００は方法の実施例のネットワーク装置に対応し、該ネットワーク装置の対応する機能を実現でき、簡潔にするために、ここで詳細説明を省略する。
【０１３４】
図５は本願の実施例に係る端末装置５００の概略構成図である。図５に示すように、該端末装置はプロセッサ５１０、送受信機５２０及びメモリ５３０を備え、該プロセッサ５１０、送受信機５２０及びメモリ５３０が内部接続通路によって相互通信する。該メモリ５３０は命令を記憶し、該プロセッサ５１０は該メモリ５３０に記憶される命令を実行して、該送受信機５２０による信号の送受信を制御する。
【０１３５】
該送受信機５２０は、ネットワーク装置が送信した、ブロードキャストチャネル又はマルチキャストチャネルを含むターゲットチャネルを受信し、
該プロセッサ５１０は、前記伝送ユニットにより受信された前記ターゲットチャネルの受信結果が所定条件を満たす時、前記ネットワーク装置にターゲット情報を送信することを決定し、少なくとも１つの伝送リソースのうち前記ターゲット情報を送信するためのターゲット伝送リソースを決定し、
該送受信機５２０はさらに、前記ネットワーク装置に前記ターゲットチャネルの受信結果を指示するための前記ターゲット情報を、前記決定ユニットにより決定された前記ターゲット伝送リソースで前記ネットワーク装置に送信する。
【０１３６】
選択肢として、前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、前記プロセッサ５１０は具体的には、Ｎが第１閾値以上であると、前記ネットワーク装置に前記ターゲット情報を送信することを決定する。
【０１３７】
選択肢として、前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、前記プロセッサ５１０は具体的には、Ｐが第２閾値以上である時、前記ネットワーク装置に前記ターゲット情報を送信することを決定する。
【０１３８】
選択肢として、前記送受信機５２０はさらに、前記プロセッサ５１０が前記ネットワーク装置にターゲット情報を送信することを決定する前、前記ネットワーク装置が送信した、Ｍを指示するための第１指示情報を受信する。
【０１３９】
選択肢として、前記ターゲットチャネルの受信結果は前記ターゲットチャネルに対応する変調及び符号化方式ＭＣＳ調整量を含み、前記プロセッサ５１０は具体的には、前記ターゲットチャネルに対してＭＣＳ測定を行い、測定したＭＣＳの等級、及び前記ターゲットチャネルに使用されるＭＣＳの等級に応じて、前記ＭＣＳ調整量を決定し、前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たす時、前記ネットワーク装置に前記ターゲット情報を送信することを決定する。
【０１４０】
選択肢として、前記プロセッサ５１０は具体的には、前記ターゲットチャネルに含まれる復調基準信号ＤＭＲＳに基づき前記ＭＣＳ測定を行う。
【０１４１】
選択肢として、前記プロセッサ５１０は具体的には、前記少なくとも１つの伝送リソースから１つの伝送リソースを前記ターゲット伝送リソースとしてランダムに選択し、又は
前記少なくとも１つの伝送リソースのうち前記端末装置の特定パラメータに対応する伝送リソースを前記ターゲット伝送リソースとして決定し、異なる端末装置の特定パラメータの値が異なり、又は
前記ターゲットチャネルの受信結果、及びチャネル受信結果と伝送リソースとのマッピング関係に基づき、前記少なくとも１つの伝送リソースのうち前記ターゲットチャネルの受信結果に対応する伝送リソースを前記ターゲット伝送リソースとして決定し、又は
前記ターゲットチャネルの受信結果、及びチャネル受信結果と伝送リソースグループとのマッピング関係に基づき、前記ターゲットチャネルの受信結果に対応するターゲット伝送リソースグループを決定し、前記ターゲット伝送リソースグループから１つの伝送リソースを前記ターゲット伝送リソースとしてランダムに選択し、又は前記特定パラメータに基づき前記ターゲット伝送リソースグループから前記端末装置の特定パラメータに対応する伝送リソースを前記ターゲット伝送リソースとして決定する。
【０１４２】
選択肢として、前記送受信機５２０はさらに、前記プロセッサ５１０がターゲット伝送リソースを決定する前、前記ネットワーク装置が送信した、前記少なくとも１つの伝送リソースの情報を含む第２指示情報を受信する。
【０１４３】
選択肢として、前記少なくとも１つの伝送リソースに対応する時間領域リソース、周波数領域リソース及びコード領域リソースのうち少なくとも１種は異なる又はすべては異なる。
【０１４４】
理解すべきなのは、本願の実施例では、該プロセッサ５１０は中央処理装置（Ｃｅｎｔｒａｌ  Ｐｒｏｃｅｓｓｉｎｇ  Ｕｎｉｔ、「ＣＰＵ」と略称する）であってもよく、該プロセッサ５１０はさらにほかの汎用プロセッサ、デジタル信号プロセッサ（ＤＳＰ）、特定用途向け集積回路（ＡＳＩＣ）、フィールドプログラマブルゲートアレイ（ＦＰＧＡ）又はほかのプログラマブルロジックデバイス、ディスクリートゲート又はトランジスタロジック装置、ディスクリートハードウェアユニット等であってもよい。汎用プロセッサはマイクロプロセッサであってもよく、又は該プロセッサは任意の通常のプロセッサ等であってもよい。
【０１４５】
該メモリ５３０は読み出し専用メモリ及びランダムアクセスメモリを含んでもよく、プロセッサ５１０に命令とデータを提供する。メモリ５３０の一部はさらに不揮発性ランダムアクセスメモリを含んでもよい。例えば、メモリ５３０はさらにデバイスのタイプに関する情報を記憶してもよい。
【０１４６】
実現中、上記方法の各ステップはプロセッサ５１０のハードウェアの集積論理回路又はソフトウェアの形態の命令で行われる。本願の実施例を参照して開示されている測位方法のステップは直接ハードウェアプロセッサによって実行され、又はプロセッサ５１０のハードウェアとソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に格納されてもよい。該記憶媒体はメモリ５３０に位置し、プロセッサ５１０はメモリ５３０中の情報を読み取り、そのハードウェアと組み合わせて上記方法のステップを実行する。重複説明を回避するために、ここでは詳細説明を省略する。
【０１４７】
本願の実施例に係る端末装置５００は上記方法の実施例に係る端末装置、及び本願の実施例に係る端末装置３００に対応し、且つ該端末装置５００中の各ユニット又はモジュールはそれぞれ上記方法の実施例に係る端末装置により実行される各動作又は処理プロセスを実行し、ここで、重複説明を回避するために、ここでは詳細説明を省略する。
【０１４８】
図６は本願の実施例に係るネットワーク装置６００の概略構成図である。図６に示すように、該端末装置はプロセッサ６１０、送受信機６２０及びメモリ６３０を備え、該プロセッサ６１０、送受信機６２０及びメモリ６３０が内部接続通路によって相互通信する。該メモリ６３０は命令を記憶し、該プロセッサ６１０は該メモリ６３０に記憶される命令を実行し、該送受信機６２０による信号の送受信を制御する。
【０１４９】
該送受信機６２０は、ブロードキャストチャネル又はマルチキャストチャネルを含むターゲットチャネルを端末装置に送信し、
該プロセッサ６１０は、前記端末装置によって少なくとも１つの伝送リソースから決定されるターゲット伝送リソースで、前記端末装置が前記ターゲットチャネルの受信結果に基づき送信したターゲット情報を受信すると、前記ターゲット時間周波数リソースで受信した前記ターゲット情報に基づき、前記ターゲットチャネルの受信結果を決定する。
【０１５０】
選択肢として、前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、
前記プロセッサ６１０は具体的には、前記送受信機６２０が前記ターゲット情報を受信すると、Ｎが第１閾値以上であると決定する。
【０１５１】
選択肢として、前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、
前記プロセッサ６１０は具体的には、前記送受信機６２０が前記ターゲット情報を受信すると、Ｐが第２閾値以上であると決定する。
【０１５２】
選択肢として、前記送受信機６２０はさらに、Ｍを指示するための第１指示情報を前記端末装置に送信する。
【０１５３】
選択肢として、前記ターゲットチャネルの受信結果は前記ターゲットチャネルに対応する変調及び符号化方式ＭＣＳ調整量を含み、前記プロセッサ６１０は具体的には、前記送受信機６２０が前記ターゲット情報を受信すると、前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たすと決定する。
【０１５４】
選択肢として、前記プロセッサ６１０は具体的には、前記ターゲット情報を受信するための前記ターゲット伝送リソース、及び伝送リソースとチャネル受信結果とのマッピング関係に基づき、前記ターゲット伝送リソースに対応するチャネル受信結果を前記ターゲットチャネルの受信結果として決定し、又は
前記ターゲット情報を受信するための前記ターゲット伝送リソースの所属するターゲット伝送リソースグループ、及び伝送リソースグループとチャネル受信結果とのマッピング関係に基づき、前記ターゲット伝送リソースグループに対応するチャネル受信結果を前記ターゲットチャネルの受信結果として決定する。
【０１５５】
選択肢として、前記送受信機６２０はさらに、前記端末装置が前記ターゲットチャネルの受信結果に基づき送信したターゲット情報を受信する前、前記少なくとも１つの伝送リソースの情報を含む第２指示情報を前記端末装置に送信する。
【０１５６】
選択肢として、前記少なくとも１つの伝送リソースに対応する時間領域リソース、周波数領域リソース及びコード領域リソースのうち少なくとも１種は異なる又はすべては異なる。
【０１５７】
理解すべきなのは、本願の実施例では、該プロセッサ６１０は中央処理装置（Ｃｅｎｔｒａｌ  Ｐｒｏｃｅｓｓｉｎｇ  Ｕｎｉｔ、「ＣＰＵ」と略称する）であってもよく、該プロセッサ６１０はほかの汎用プロセッサ、デジタル信号プロセッサ（ＤＳＰ）、特定用途向け集積回路（ＡＳＩＣ）、フィールドプログラマブルゲートアレイ（ＦＰＧＡ）又はほかのプログラマブルロジックデバイス、ディスクリートゲート又はトランジスタロジック装置、ディスクリートハードウェアユニット等であってもよい。汎用プロセッサはマイクロプロセッサであってもよく、又は該プロセッサは任意の通常のプロセッサ等であってもよい。
【０１５８】
該メモリ６３０は読み出し専用メモリ及びランダムアクセスメモリを含んでもよく、プロセッサ６１０に命令とデータを提供する。メモリ６３０の一部はさらに不揮発性ランダムアクセスメモリを含んでもよい。例えば、メモリ６３０はさらにデバイスのタイプに関する情報を記憶してもよい。
【０１５９】
実現中、上記方法の各ステップはプロセッサ６１０のハードウェアの集積論理回路又はソフトウェアの形態の命令で行われる。本願の実施例を参照して開示されている測位方法のステップは直接ハードウェアプロセッサによって実行され、又はプロセッサ６１０のハードウェアとソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に格納されてもよい。該記憶媒体はメモリ６３０に位置し、プロセッサ６１０はメモリ６３０中の情報を読み取り、そのハードウェアと組み合わせて上記方法のステップを実行する。重複説明を回避するために、ここでは詳細説明を省略する。
【０１６０】
本願の実施例に係るネットワーク装置６００は上記方法の実施例に係るネットワーク装置、及び本願の実施例に係るネットワーク装置４００に対応し、且つ該ネットワーク装置４００中の各ユニット又はモジュールはそれぞれ上記方法の実施例に係るネットワーク装置により実行される各動作又は処理プロセスを実行し、ここで、重複説明を回避するために、ここでは詳細説明を省略する。
【０１６１】
図７は本願の実施例に係るシステムチップの概略構成図である。図７に示されるシステムチップ７００は入力インタフェース７０１、出力インタフェース７０２、少なくとも１つのプロセッサ７０３、及びメモリ７０４を備え、前記入力インタフェース７０１、出力インタフェース７０２、前記プロセッサ７０３及びメモリ７０４が内部接続通路によって相互接続される。前記プロセッサ７０３は前記メモリ７０４中のコードを実行する。
【０１６２】
選択肢として、前記コードが実行される時、前記プロセッサ７０３は方法の実施例に係る端末装置により実行される方法を実現できる。簡潔にするために、ここでは詳細説明を省略する。
【０１６３】
選択肢として、前記コードが実行される時、前記プロセッサ７０３は方法の実施例に係るネットワーク装置により実行される方法を実現できる。簡潔にするために、ここでは詳細説明を省略する。
【０１６４】
理解すべきなのは、本願の各種の実施例では、上記各手順の番号の大きさは実行順序を示すものではなく、各手順の実行順序はその機能及び内部ロジックによって決定され、本願の実施例の実施プロセスを限定するものではない。
【０１６５】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかソフトウェアで実行するかは、技術案の特定の応用及び設計制約条件に応じて決められる。当業者は、各特定のアプリケーションに対して異なる方法で説明された機能を実現することができるが、このような実現は本発明の範囲を超えると考えられない。
【０１６６】
当業者であれば、説明の便宜及び簡潔上、上記説明したシステム、装置及びユニットの具体的なプロセスは、上記方法の実施例の対応するプロセスを参照すればよいため、ここで詳細説明を省略する。
【０１６７】
本願により提供されるいくつかの実施例では、開示されているシステム、装置及び方法をほかの形態で実現できると理解すべきである。例えば、以上説明された装置の実施例は単に例示的なものであり、例えば、該ユニットの分割は、単に１種のロジック機能分割であり、実際に実現する時に他の分割方式を採用してもよく、例えば複数のユニット又は要素を他のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又はほかの形態としてもよい。
【０１６８】
該分離部材として説明されたユニットは物理的に分離しているものであってもよく、物理的に分離しているものでなくてもよく、ユニットとして表示される部材は物理ユニットであってもよく物理ユニットでなくてもよく、すなわち、１つの場所に位置してもよく、複数のネットワークユニットに分布してもよい。実際の必要に応じて一部又はすべてのユニットを選択して本実施例の技術案の目的を実現することができる。
【０１６９】
また、本願の実施例の各々における各機能ユニットは１つの処理ユニットに集積されてもよく、別々に物理的に存在してもよく、２つ又は２つ以上のユニットは１つのユニットに集積されてもよい。
【０１７０】
該機能はソフトウェア機能ユニットの形態で実現され独立した製品として販売又は使用される場合、コンピュータ可読記憶媒体に記憶される。このような理解に基づき、本願の技術案は本質的に又は従来技術に貢献する部分又は該技術案の一部はソフトウェア製品の形態で表現することができ、該コンピュータソフトウェア製品は記憶媒体に記憶され、一台のコンピュータ装置（パーソナルコンピュータ、サーバ、又はネットワーク装置等であってもよい）に本願の実施例の各々に係る方法の全て又は一部のステップを実行させるための複数の命令を含む。上記記憶媒体は、Ｕディスク、モバイルディスク、読み出し専用メモリ（Ｒｅａｄ−Ｏｎｌｙ  Ｍｅｍｏｒｙ、「ＲＯＭ」と略称する）、ランダムアクセスメモリ（Ｒａｎｄｏｍ  Ａｃｃｅｓｓ  Ｍｅｍｏｒｙ、「ＲＡＭ」と略称する）、磁気ディスク又は光ディスクなどプロクラムコードを記憶可能な種々の媒体を含む。
【０１７１】
以上、本願の具体的な実施形態を説明したが、本願の実施例の保護範囲はそれに限定されるものではなく、当業者が本願の実施例に開示されている技術範囲を逸脱せずに容易に想到し得る変更や置換はすべて本願の保護範囲に属する。従って、本願の実施例の保護範囲は特許請求の範囲の保護範囲に準じるべきである。
【図１】
2020516088.tif 000009
【図２】
2020516088.tif 000010
【図３】
2020516088.tif 000011
【図４】
2020516088.tif 000012
【図５】
2020516088.tif 000013
【図６】
2020516088.tif 000014
【図７】
2020516088.tif 000015
【手続補正書】
【提出日】令和1年12月3日(2019.12.3)
【手続補正１】
【補正対象書類名】明細書
【補正対象項目名】００１９
【補正方法】変更
【補正の内容】
【００１９】
第２態様によれば、情報伝送方法を提供し、ネットワーク装置はブロードキャストチャネル又はマルチキャストチャネルを含むターゲットチャネルを端末装置に送信するステップと、前記ネットワーク装置が前記端末装置によって少なくとも１つの伝送リソースから決定されるターゲット伝送リソースで、前記端末装置が前記ターゲットチャネルの受信結果に基づき送信したターゲット情報を受信すると、前記ネットワーク装置は前記ターゲット伝送リソースで受信した前記ターゲット情報に基づき、前記ターゲットチャネルの受信結果を決定するステップと、を含むことを特徴とする。
【手続補正２】
【補正対象書類名】明細書
【補正対象項目名】００２０
【補正方法】変更
【補正の内容】
【００２０】
選択肢として、第２態様の一実施形態では、前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、前記ネットワーク装置は前記ターゲット伝送リソースで受信した前記ターゲット情報に基づき、前記ターゲットチャネルの受信結果を決定することは、前記ネットワーク装置が前記ターゲット情報を受信すると、前記ネットワーク装置はＮが第１閾値以上であると決定することを含む。
【手続補正３】
【補正対象書類名】明細書
【補正対象項目名】００２１
【補正方法】変更
【補正の内容】
【００２１】
選択肢として、第２態様の一実施形態では、前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、前記ネットワーク装置は前記ターゲット伝送リソースで受信した前記ターゲット情報に基づき、前記ターゲットチャネルの受信結果を決定することは、前記ネットワーク装置が前記ターゲット情報を受信すると、前記ネットワーク装置はＰが第２閾値以上であると決定することを含む。  
【手続補正４】
【補正対象書類名】明細書
【補正対象項目名】００２３
【補正方法】変更
【補正の内容】
【００２３】
選択肢として、第２態様の一実施形態では、前記ターゲットチャネルの受信結果は前記ターゲットチャネルに対応する変調及び符号化方式ＭＣＳ調整量を含み、前記ネットワーク装置は前記ターゲット伝送リソースで受信した前記ターゲット情報に基づき、前記ターゲットチャネルの受信結果を決定することは、前記ネットワーク装置が前記ターゲット情報を受信すると、前記ネットワーク装置は前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たすと決定することを含む。
【手続補正５】
【補正対象書類名】明細書
【補正対象項目名】００２４
【補正方法】変更
【補正の内容】
【００２４】
選択肢として、第２態様の一実施形態では、前記ネットワーク装置は前記ターゲット伝送リソースで受信した前記ターゲット情報に基づき、前記ターゲットチャネルの受信結果を決定することは、
前記ネットワーク装置は前記ターゲット情報を受信するための前記ターゲット伝送リソース、及び伝送リソースとチャネル受信結果とのマッピング関係に基づき、前記ターゲット伝送リソースに対応するチャネル受信結果を前記ターゲットチャネルの受信結果として決定すること、又は
前記ネットワーク装置は前記ターゲット情報を受信するための前記ターゲット伝送リソースの所属するターゲット伝送リソースグループ、及び伝送リソースグループとチャネル受信結果とのマッピング関係に基づき、前記ターゲット伝送リソースグループに対応するチャネル受信結果を前記ターゲットチャネルの受信結果として決定することを含む。
【手続補正６】
【補正対象書類名】明細書
【補正対象項目名】００４７
【補正方法】変更
【補正の内容】
【００４７】
具体的には、端末装置は該ターゲットチャネルを受信すると、該ターゲットチャネルを受信処理し、該ターゲットチャネルの受信結果に基づき、すなわち該ターゲットチャネルに対する受信処理の結果に基づき判断を行い、該受信結果が所定条件を満たすと、端末装置はネットワーク装置にターゲット情報を送信することを決定し、ネットワーク装置に該ターゲットチャネルの処理結果を指示する。本願の実施例は３種の方式によって該ターゲット情報の送信を決定し、以下、これらの３種の方式を詳細に説明する。
【手続補正７】
【補正対象書類名】明細書
【補正対象項目名】００５８
【補正方法】変更
【補正の内容】
【００５８】
例えば、端末装置は該ターゲットチャネルを復号する時、連続的に少なくともＭ個の伝送ブロックを復号する過程で、復号に失敗する比率Ｐが第２閾値以上であると、端末装置はネットワーク装置に該ターゲット情報を送信することを決定する。ここで、Ｐ＝復号に失敗する伝送ブロックの数／少なくともＭ個の伝送ブロックの総数とする。
【手続補正８】
【補正対象書類名】明細書
【補正対象項目名】００５９
【補正方法】変更
【補正の内容】
【００５９】
例えば、第２閾値が２０％であり、Ｍ＝５であると仮定し、端末装置は該ターゲットチャネルを復号する時、連続的に５個の伝送ブロックを復号した後、これら５回の復号に対する復号失敗の比率Ｐを計算し、Ｐ≧２０％であると、ネットワーク装置に該ターゲット情報を送信することを決定する。例えば、端末装置は連続的に５個の伝送ブロックを復号した後、これらの５回の復号のうち復号に失敗する伝送ブロックの数が２であることを発見すると、Ｐ＝４０％≧２０％であると計算し、ネットワーク装置にターゲット情報を送信することを決定し、これら５回の復号のうち復号に失敗する伝送ブロックの数が０であることを発見すると、Ｐ＝０＜２０％であり、ターゲット情報を送信する必要がない。
【手続補正９】
【補正対象書類名】明細書
【補正対象項目名】００６０
【補正方法】変更
【補正の内容】
【００６０】
また、例えば、第２閾値が２０％であり、Ｍ＝５であると仮定し、端末装置は該ターゲットチャネルを復号する時、端末装置は１個の伝送ブロックの復号が失敗するとＰ≧２０％を満たすと決定し、そして端末装置は該伝送ブロックの復号に失敗すると、ネットワーク装置にターゲット情報を送信することを決定し、それによりネットワーク装置に該ターゲット情報をフィードバックしてチャネル受信状況をフィードバックし、これら５回の復号のうち復号に失敗する伝送ブロックの数が０であることを発見すると、Ｐ＝０＜２０％であり、ネットワーク装置にターゲット情報を送信する必要がないことを決定する。
【手続補正１０】
【補正対象書類名】明細書
【補正対象項目名】００６４
【補正方法】変更
【補正の内容】
【００６４】
方式３
選択肢として、該ターゲットチャネルの受信結果は、該ターゲットチャネルに対応する変調及び符号化方式ＭＣＳ調整量を含む。
【手続補正１１】
【補正対象書類名】明細書
【補正対象項目名】００９６
【補正方法】変更
【補正の内容】
【００９６】
２６０では、ネットワーク装置は端末装置が前記ターゲットチャネルの受信結果に基づき送信したターゲット情報を該ターゲット伝送リソースで受信すると、ネットワーク装置は該ターゲット伝送リソースで受信した該ターゲット情報に基づき、該ターゲットチャネルの受信結果を決定する。
【手続補正１２】
【補正対象書類名】明細書
【補正対象項目名】００９９
【補正方法】変更
【補正の内容】
【００９９】
この場合、ネットワーク装置はターゲット伝送リソースで受信した該ターゲット情報に基づき、該ターゲットチャネルの受信結果を決定することは、ネットワーク装置が該ターゲット情報を受信すると、ネットワーク装置はＮが第１閾値以上であると決定することを含む。
【手続補正１３】
【補正対象書類名】明細書
【補正対象項目名】０１０１
【補正方法】変更
【補正の内容】
【０１０１】
この場合、ネットワーク装置は前記ターゲット伝送リソースで受信した前記ターゲット情報に基づき、該ターゲットチャネルの受信結果を決定することは、ネットワーク装置は該ターゲット情報を受信すると、ネットワーク装置はＰが第２閾値以上であると決定することを含む。
【手続補正１４】
【補正対象書類名】明細書
【補正対象項目名】０１０２
【補正方法】変更
【補正の内容】
【０１０２】
方式３
該ターゲットチャネルの受信結果は該ターゲットチャネルに対応する変調及び符号化方式ＭＣＳ調整量を含み、この場合、ネットワーク装置は該ターゲット伝送リソースで受信した該ターゲット情報に基づき、該ターゲットチャネルの受信結果を決定することは、ネットワーク装置は該ターゲット情報を受信すると、該ＭＣＳ調整量として、該ＭＣＳ調整量がゼロではないこと、該ＭＣＳ調整量の値が非負数で、且つ第３閾値以上であること、該ＭＣＳ調整量の値が負数で、且つ第４閾値以下であることのうちのいずれかを満たすと決定することを含む。
【手続補正１５】
【補正対象書類名】明細書
【補正対象項目名】０１０３
【補正方法】変更
【補正の内容】
【０１０３】
理解すべなのは、ネットワーク装置は該ターゲット伝送リソースで受信した該ターゲット情報に基づき、該ターゲットチャネルの受信結果を決定し、該ターゲット情報の受信と該ターゲット情報の受信結果との関係は、具体的には上記ステップ２３０についての説明中の方式１〜方式３中の詳細説明を参照すればよい。簡潔にするために、ここでは詳細説明を省略する。
【手続補正１６】
【補正対象書類名】明細書
【補正対象項目名】０１０４
【補正方法】変更
【補正の内容】
【０１０４】
以上、ネットワーク装置は該ターゲット情報を受信するか否かに応じて該ターゲットチャネルの受信結果を決定できることを説明し、例えば、該ターゲット情報を受信した時、連続的に復号に失敗する伝送ブロックの数がある特定の閾値よりも大きいと決定し、又は復号に失敗する比率が特定の閾値よりも大きいと決定できる。しかしながら、ネットワーク装置はさらに具体的には連続的に復号に失敗する伝送ブロックの数、復号に失敗する比率が具体的にはどの区間にあるかを取得する必要がある場合、ネットワーク装置は更に該ターゲット情報を受信するための該ターゲット伝送リソースに基づき、該ターゲットチャネルの詳細な受信結果を決定してもよい。
【手続補正１７】
【補正対象書類名】明細書
【補正対象項目名】０１０５
【補正方法】変更
【補正の内容】
【０１０５】
選択肢として、ネットワーク装置は該ターゲット伝送リソースで受信した前記ターゲット情報に基づき、前記ターゲットチャネルの受信結果を決定することは、ネットワーク装置は該ターゲット情報を受信するための該ターゲット伝送リソース、及び伝送リソースとチャネル受信結果とのマッピング関係に基づき、該ターゲット伝送リソースに対応するチャネル受信結果を該ターゲットチャネルの受信結果として決定すること、又は、ネットワーク装置は該ターゲット情報を受信するための該ターゲット伝送リソースの所属するターゲット伝送リソースグループ、及び伝送リソースグループとチャネル受信結果とのマッピング関係に基づき、該ターゲット伝送リソースグループに対応するチャネル受信結果を該ターゲットチャネルの受信結果として決定することを含む。ここで、受信結果は例えば、上記ステップ２６０についての説明中の方式１〜方式３のうちのいずれかの方式中の受信結果であってもよい。
【手続補正１８】
【補正対象書類名】明細書
【補正対象項目名】０１２４
【補正方法】変更
【補正の内容】
【０１２４】
伝送ユニット４１０は、ブロードキャストチャネル又はマルチキャストチャネルを含むターゲットチャネルを端末装置に送信し、
決定ユニット４２０は、前記端末装置によって少なくとも１つの伝送リソースから決定されるターゲット伝送リソースで、前記端末装置が前記ターゲットチャネルの受信結果に基づき送信したターゲット情報を受信すると、前記ターゲット伝送リソースで受信した前記ターゲット情報に基づき、前記ターゲットチャネルの受信結果を決定する。
【手続補正１９】
【補正対象書類名】明細書
【補正対象項目名】０１３５
【補正方法】変更
【補正の内容】
【０１３５】
該送受信機５２０は、ネットワーク装置が送信した、ブロードキャストチャネル又はマルチキャストチャネルを含むターゲットチャネルを受信し、
該プロセッサ５１０は、前記送受信機５２０により受信された前記ターゲットチャネルの受信結果が所定条件を満たす時、前記ネットワーク装置にターゲット情報を送信することを決定し、少なくとも１つの伝送リソースのうち前記ターゲット情報を送信するためのターゲット伝送リソースを決定し、
該送受信機５２０はさらに、前記ネットワーク装置に前記ターゲットチャネルの受信結果を指示するための前記ターゲット情報を、前記プロセッサ５１０により決定された前記ターゲット伝送リソースで前記ネットワーク装置に送信する。
【手続補正２０】
【補正対象書類名】明細書
【補正対象項目名】０１４６
【補正方法】変更
【補正の内容】
【０１４６】
実現中、上記方法の各ステップはプロセッサ５１０のハードウェアの集積論理回路又はソフトウェアの形態の命令で行われる。本願の実施例に開示されている方法のステップは直接ハードウェアプロセッサによって実行され、又はプロセッサ５１０のハードウェアとソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に格納されてもよい。該記憶媒体はメモリ５３０に位置し、プロセッサ５１０はメモリ５３０中の情報を読み取り、そのハードウェアと組み合わせて上記方法のステップを実行する。重複説明を回避するために、ここでは詳細説明を省略する。
【手続補正２１】
【補正対象書類名】明細書
【補正対象項目名】０１４９
【補正方法】変更
【補正の内容】
【０１４９】
該送受信機６２０は、ブロードキャストチャネル又はマルチキャストチャネルを含むターゲットチャネルを端末装置に送信し、
該プロセッサ６１０は、前記端末装置によって少なくとも１つの伝送リソースから決定されるターゲット伝送リソースで、前記端末装置が前記ターゲットチャネルの受信結果に基づき送信したターゲット情報を受信すると、前記ターゲット伝送リソースで受信した前記ターゲット情報に基づき、前記ターゲットチャネルの受信結果を決定する。
【手続補正２２】
【補正対象書類名】明細書
【補正対象項目名】０１６０
【補正方法】変更
【補正の内容】
【０１６０】
本願の実施例に係るネットワーク装置６００は上記方法の実施例に係るネットワーク装置、及び本願の実施例に係るネットワーク装置４００に対応し、且つ該ネットワーク装置６００中の各ユニット又はモジュールはそれぞれ上記方法の実施例に係るネットワーク装置により実行される各動作又は処理プロセスを実行し、ここで、重複説明を回避するために、ここでは詳細説明を省略する。
【手続補正２３】
【補正対象書類名】明細書
【補正対象項目名】０１７１
【補正方法】変更
【補正の内容】
【０１７１】
以上、本願の具体的な実施形態を説明したが、本願の保護範囲はそれに限定されるものではなく、当業者が本願に開示されている技術範囲を逸脱せずに容易に想到し得る変更や置換はすべて本願の保護範囲に属する。従って、本願の保護範囲は特許請求の範囲の保護範囲に準じるべきである。
【手続補正２４】
【補正対象書類名】特許請求の範囲
【補正対象項目名】全文
【補正方法】変更
【補正の内容】
【特許請求の範囲】
【請求項１】
情報伝送方法であって、
端末装置はネットワーク装置が送信した、ブロードキャストチャネル又はマルチキャストチャネルを含むターゲットチャネルを受信するステップと、
前記端末装置は前記ターゲットチャネルの受信結果が所定条件を満たす時、前記ネットワーク装置にターゲット情報を送信することを決定するステップと、
前記端末装置は少なくとも１つの伝送リソースのうち前記ターゲット情報を送信するためのターゲット伝送リソースを決定するステップと、
前記端末装置は前記ネットワーク装置に前記ターゲットチャネルの受信結果を指示するための前記ターゲット情報を前記ターゲット伝送リソースで前記ネットワーク装置に送信するステップと、を含むことを特徴とする情報伝送方法。
【請求項２】
情報伝送方法であって、
ネットワーク装置はブロードキャストチャネル又はマルチキャストチャネルを含むターゲットチャネルを端末装置に送信するステップと、
前記ネットワーク装置が前記端末装置によって少なくとも１つの伝送リソースから決定されるターゲット伝送リソースで、前記端末装置が前記ターゲットチャネルの受信結果に基づき送信したターゲット情報を受信すると、前記ネットワーク装置は前記ターゲット伝送リソースで受信した前記ターゲット情報に基づき、前記ターゲットチャネルの受信結果を決定するステップと、を含むことを特徴とする情報伝送方法。
【請求項３】
端末装置であって、伝送ユニット、及び決定ユニットを備え、
伝送ユニットは、ネットワーク装置が送信した、ブロードキャストチャネル又はマルチキャストチャネルを含むターゲットチャネルを受信し、
決定ユニットは、前記伝送ユニットにより受信された前記ターゲットチャネルの受信結果が所定条件を満たす時、前記ネットワーク装置にターゲット情報を送信することを決定し、
前記決定ユニットはさらに、少なくとも１つの伝送リソースのうち前記ターゲット情報を送信するためのターゲット伝送リソースを決定し、
前記伝送ユニットはさらに、前記ネットワーク装置に前記ターゲットチャネルの受信結果を指示するための前記ターゲット情報を前記決定ユニットにより決定された前記ターゲット伝送リソースで前記ネットワーク装置に送信することを特徴とする端末装置。
【請求項４】
前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、
前記決定ユニットは具体的には、Ｎが第１閾値以上である時、前記ネットワーク装置に前記ターゲット情報を送信することを決定することを特徴とする請求項３に記載の端末装置。
【請求項５】
前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、
前記決定ユニットは具体的には、Ｐが第２閾値以上である時、前記ネットワーク装置に前記ターゲット情報を送信することを決定することを特徴とする請求項３に記載の端末装置。
【請求項６】
前記伝送ユニットはさらに、前記決定ユニットが前記ネットワーク装置にターゲット情報を送信することを決定する前、前記ネットワーク装置が送信した、Ｍを指示するための第１指示情報を受信することを特徴とする請求項５に記載の端末装置。
【請求項７】
前記ターゲットチャネルの受信結果は前記ターゲットチャネルに対応する変調及び符号化方式ＭＣＳ調整量を含み、
前記決定ユニットは具体的には、
前記ターゲットチャネルに対してＭＣＳ測定を行い、
測定したＭＣＳの等級、及び前記ターゲットチャネルに使用されるＭＣＳの等級に応じて、前記ＭＣＳ調整量を決定し、
前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たす時、前記ネットワーク装置に前記ターゲット情報を送信することを決定することを特徴とする請求項３に記載の端末装置。
【請求項８】
前記決定ユニットは具体的には、前記ターゲットチャネルに含まれる復調基準信号ＤＭＲＳに基づき前記ＭＣＳ測定を行うことを特徴とする請求項７に記載の端末装置。
【請求項９】
前記決定ユニットは具体的には、
前記少なくとも１つの伝送リソースから１つの伝送リソースを前記ターゲット伝送リソースとしてランダムに選択し、又は
前記少なくとも１つの伝送リソースのうち前記端末装置の特定パラメータに対応する伝送リソースを前記ターゲット伝送リソースとして決定し、異なる端末装置の特定パラメータの値が異なり、又は
前記ターゲットチャネルの受信結果、及びチャネル受信結果と伝送リソースとのマッピング関係に基づき、前記少なくとも１つの伝送リソースのうち前記ターゲットチャネルの受信結果に対応する伝送リソースを前記ターゲット伝送リソースとして決定し、又は
前記ターゲットチャネルの受信結果、及びチャネル受信結果と伝送リソースグループとのマッピング関係に基づき、前記ターゲットチャネルの受信結果に対応するターゲット伝送リソースグループを決定し、前記ターゲット伝送リソースグループから１つの伝送リソースを前記ターゲット伝送リソースとしてランダムに選択し、又は前記特定パラメータに基づき前記ターゲット伝送リソースグループから前記端末装置の特定パラメータに対応する伝送リソースを前記ターゲット伝送リソースとして決定することを特徴とする請求項３〜８のいずれか一項に記載の端末装置。
【請求項１０】
ネットワーク装置であって、
ブロードキャストチャネル又はマルチキャストチャネルを含むターゲットチャネルを端末装置に送信する伝送ユニットと、
前記ネットワーク装置が前記端末装置によって少なくとも１つの伝送リソースから決定されるターゲット伝送リソースで、前記端末装置が前記ターゲットチャネルの受信結果に基づき送信したターゲット情報を受信すると、前記ターゲット伝送リソースで受信した前記ターゲット情報に基づき、前記ターゲットチャネルの受信結果を決定する決定ユニットと、を備えることを特徴とするネットワーク装置。
【請求項１１】
前記ターゲットチャネルの受信結果は、前記端末装置の前記ターゲットチャネルに対する復号に失敗する復号ユニットの数Ｎ（Ｎは正の整数）を含み、前記復号に失敗する復号ユニットは復号に失敗する伝送ブロック、又は復号に失敗する伝送ブロックを含む伝送時間ユニットであり、
前記決定ユニットは具体的には、前記伝送ユニットが前記ターゲット情報を受信すると、Ｎが第１閾値以上であると決定することを特徴とする請求項１０に記載のネットワーク装置。
【請求項１２】
前記ターゲットチャネルの受信結果は、前記端末装置が前記ターゲットチャネルを復号する少なくともＭ（Ｍは正の整数）個の復号ユニットのうち復号に失敗する復号ユニットの数の前記少なくともＭ個の復号ユニットに対する比率Ｐ（０≦Ｐ≦１）を含み、前記復号に失敗する復号ユニットは復号に失敗する伝送ブロック、又は復号に失敗する伝送ブロックを含む伝送時間ユニットであり、
前記決定ユニットは具体的には、前記伝送ユニットが前記ターゲット情報を受信すると、Ｐが第２閾値以上であると決定することを特徴とする請求項１１に記載のネットワーク装置。
【請求項１３】
前記伝送ユニットはさらに、Ｍを指示するための第１指示情報を前記端末装置に送信することを特徴とする請求項１２に記載のネットワーク装置。
【請求項１４】
前記ターゲットチャネルの受信結果は前記ターゲットチャネルに対応する変調及び符号化方式ＭＣＳ調整量を含み、
前記決定ユニットは具体的には、前記伝送ユニットが前記ターゲット情報を受信すると、前記ＭＣＳ調整量として前記ＭＣＳ調整量がゼロではないこと、前記ＭＣＳ調整量の値が非負数で、且つ第３閾値以上であること、前記ＭＣＳ調整量の値が負数で、且つ第４閾値以下であることのうちのいずれかを満たすと決定することを特徴とする請求項１１に記載のネットワーク装置。
【請求項１５】
前記決定ユニットは具体的には、前記ターゲット情報を受信するための前記ターゲット伝送リソース、及び伝送リソースとチャネル受信結果とのマッピング関係に基づき、前記ターゲット伝送リソースに対応するチャネル受信結果を前記ターゲットチャネルの受信結果として決定し、又は
前記ターゲット情報を受信するための前記ターゲット伝送リソースの所属するターゲット伝送リソースグループ、及び伝送リソースグループとチャネル受信結果とのマッピング関係に基づき、前記ターゲット伝送リソースグループに対応するチャネル受信結果を前記ターゲットチャネルの受信結果として決定することを特徴とする請求項１１〜１４のいずれか一項に記載のネットワーク装置。
【国際調査報告】
2020516088.tif 000016
2020516088.tif 000017
2020516088.tif 000018
2020516088.tif 000019